(57)【要約】【課題】携帯端末装置を用いて各種サービスの提供を受ける場合に、万一、その携帯端末装置を紛失したり盗難されたりしても悪意のある第三者による不正利用をより確実に防止できるようにして、十分なセキュリティを確保し、利用者の被る損害を最小限に抑える。【解決手段】情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、管理サーバが、情報端末装置の表示画面をロックする命令を情報端末装置に与える、ことを特徴とする。【選択図】図１
2008182469.tif 000002
【特許請求の範囲】
【請求項１】
利用者によって利用され、第一位置を検出する第一位置検出手段、各種画面表示を行う表示手段、前記表示手段の表示状態を制御する制御手段を有する情報端末装置と、
前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記情報端末装置に通知する通知手段、を有する生体データ検出端末装置とをそなえ、
前記情報端末装置は、前記第一位置と前記第二位置との間の距離が所定範囲を超えた場合、あるいは、第二位置が確認できない場合、前記制御手段により前記表示手段の表示画面をロックする、
ことを特徴とする情報端末装置管理システム。
【請求項２】
利用者により利用される情報端末装置の動作状態を管理する管理サーバと、
前記利用者によって利用され、第一位置を検出する第一位置検出手段、該第一位置検出手段によって検出された前記第一位置を前記管理サーバに通知する第一通知手段、各種画面表示を行う表示手段、前記表示手段の表示状態を制御する制御手段、および、前記管理サーバにアクセスするアクセス手段を有する情報端末装置と、
前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記管理サーバに通知する第二通知手段、を有する生体データ検出端末装置とをそなえ、
前記管理サーバは、前記情報端末装置の前記第一通知手段によって通知された前記第一位置と前記生体データ検出端末装置の前記第二通知手段によって通知された前記第二位置との間の距離が所定範囲を超えた場合、あるいは、前記第一位置もしくは前記第二位置のいずれか一方が確認できない場合、前記情報端末装置の表示画面をロックする命令を前記情報端末装置に与える、
ことを特徴とする情報端末装置管理システム。
【請求項３】
利用者により利用される情報端末装置の動作状態を管理する管理サーバと、
前記利用者によって利用され、第一位置を検出する第一位置検出手段、該第一位置検出手段によって検出された前記第一位置を前記管理サーバに通知する第一通知手段、各種画面表示を行う表示手段、前記表示手段の表示状態を制御する制御手段、および、前記管理サーバにアクセスするアクセス手段を有する情報端末装置と、
前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記管理サーバに通知する第二通知手段、を有する生体データ検出端末装置とをそなえ、
前記管理サーバは、
前記情報端末装置の前記第一通知手段によって通知された前記第一位置と前記生体データ検出端末装置の前記第二通知手段によって通知された前記第二位置との間の距離が所定範囲を超えた場合、あるいは、前記第一位置もしくは前記第二位置のいずれか一方が確認できない場合、前記情報端末装置の表示画面をロックする命令を前記情報端末装置に与えると共に、前記ロック後に前記距離が所定範囲内になった場合、前記情報端末装置の表示画面のロックを解除する命令を前記情報端末装置に与える、
ことを特徴とする情報端末装置管理システム。
【請求項４】
前記管理サーバは、一回限り使用可能なワンタイムパスワードを生成するワンタイムパスワード生成手段と、前記ワンタイムパスワード生成手段により生成されたワンタイムパスワードと前記利用者から返信されたワンタイムパスワードとを比較することにより認証判定を行なう認証手段と、をさらに備え、
前記生体データ検出端末装置は、前記生体センサにより検出された利用者の生体データ値により該利用者本人であることを確認して前記ワンタイムパスワード生成手段と同期して前記ワンタイムパスワードを表示するワンタイムパスワード処理手段をさらに備え、
前記管理サーバは、前記情報端末装置の表示画面をパスワードにより解除可能な状態でロックする命令を前記情報端末装置に与え、前記生体データ検出端末装置の表示を参照した前記利用者によって前記情報端末装置の入力手段に入力されて返信されたワンタイムパスワードにより前記認証手段で認証がなされた場合、前記情報端末装置の表示画面のロックを解除する命令を前記情報端末装置に与える、
ことを特徴とする請求項２に記載の情報端末装置管理システム。
【請求項５】
前記管理サーバは、前記ワンタイムパスワード生成手段によって生成されたワンタイムパスワードを前記生体データ検出端末装置に送信する送信手段をさらにそなえて構成され、
前記生体データ検出端末装置では、ワンタイムパスワード処理手段が、前記管理サーバから送信された前記ワンタイムパスワードを受信し、前記生体センサにより検出された利用者の生体データ値により該利用者本人であることを確認して前記ワンタイムパスワードを表示する、
ことを特徴とする請求項４記載の情報端末装置管理システム。
【請求項６】
前記生体データ検出端末装置では、前記管理サーバの前記ワンタイムパスワード生成手段と同期したワンタイムパスワードを前記ワンタイムパスワード処理手段で生成し、前記生体センサにより検出された利用者の生体データ値により該利用者本人であることを確認して前記ワンタイムパスワードを表示する、
ことを特徴とする請求項４記載の情報端末装置管理システム。
【請求項７】
前記管理サーバは、該管理サーバへの利用者からの前記ワンタイムパスワードの返信が所定時間以上経過している場合、システム管理者もしくは前記利用者に対し警告通知を行なう警告手段をさらにそなえる、
請求項４〜請求項６のいずれか１項に記載の情報端末装置管理システム。
【請求項８】
前記管理サーバは、前記距離が所定時間以上に亘って前記所定範囲外である場合、システム管理者もしくは前記利用者に対し警告通知を行なう警告手段をさらにそなえたことを特徴とする、
請求項２〜請求項７のいずれか１項に記載の情報端末装置管理システム。
【請求項９】
前記情報端末装置が携帯電話装置、あるいは、ノート型情報端末装置である、
ことを特徴とする請求項１〜請求項８のいずれか一項に記載の情報端末装置管理システム。
【請求項１０】
前記生体データ検出端末装置が、腕時計にそなえられている、
ことを特徴とする請求項１〜請求項９のいずれか一項に記載の情報端末装置管理システム。
【請求項１１】
前記利用者によって利用され、第一位置を検出する第一位置検出手段、該第一位置検出手段によって検出された前記第一位置を管理サーバに通知する第一通知手段、各種画面表示を行う表示手段、前記表示手段の表示状態を制御する制御手段、および、前記管理サー
バにアクセスするアクセス手段を有する情報端末装置と、
前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記管理サーバに通知する第二通知手段、を有する生体データ検出端末装置とをそなえた情報端末装置管理システム、で用いられ、利用者により利用される情報端末装置の動作状態を管理する管理サーバであって、
前記情報端末装置の前記第一通知手段によって通知された前記第一位置と前記生体データ検出端末装置の前記第二通知手段によって通知された前記第二位置との間の距離が所定範囲を超えた場合、あるいは、前記第一位置もしくは前記第二位置のいずれか一方が確認できない場合、前記情報端末装置の表示画面をロックする命令を前記情報端末装置に与える、
ことを特徴とする管理サーバ。
【請求項１２】
利用者によって利用され、第一位置を検出する第一位置検出手段、各種画面表示を行う表示手段、前記表示手段の表示状態を制御する制御手段を有する情報端末装置、
前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記情報端末装置に通知する通知手段、を有する生体データ検出端末装置、としてコンピュータを機能させるプログラムであって、
前記第一位置と前記第二位置との間の距離が所定範囲を超えた場合、あるいは、第二位置が確認できない場合、前記制御手段により前記表示手段の表示画面をロックするよう前記情報端末装置内の制御手段が制御する、
ことを特徴とする情報端末装置管理プログラム。
【請求項１３】
利用者により利用される情報端末装置の動作状態を管理する管理サーバ、
前記利用者によって利用され、第一位置を検出する第一位置検出手段、該第一位置検出手段によって検出された前記第一位置を前記管理サーバに通知する第一通知手段、各種画面表示を行う表示手段、前記表示手段の表示状態を制御する制御手段、および、前記管理サーバにアクセスするアクセス手段を有する情報端末装置、
前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記管理サーバに通知する第二通知手段、を有する生体データ検出端末装置、としてコンピュータを機能させるプログラムであって、
前記情報端末装置の前記第一通知手段によって通知された前記第一位置と前記生体データ検出端末装置の前記第二通知手段によって通知された前記第二位置との間の距離が所定範囲を超えた場合、あるいは、前記第一位置もしくは前記第二位置のいずれか一方が確認できない場合、前記情報端末装置の表示画面をロックする命令を前記管理サーバから前記情報端末装置に与える、
ことを特徴とする情報端末装置管理プログラム。
【発明の詳細な説明】
【技術分野】
【０００１】
本発明は、携帯電話装置，ＰＤＡ（Personal Digital Assistant），コンピュータ装置などの各種の情報端末装置を利用者が使用する際に用いて好適の管理技術に関する。
【背景技術】
【０００２】
近年の携帯電話装置は、電話だけではなく、電子メールの使用頻度が高い。このため、携帯電話装置内に、それまでに受信した電子メールや送信した電子メールが多数残っていることが多い。
【０００３】
このような場合に、携帯電話装置を紛失したり、あるいは、どこかに放置したりすると、電子メールを他人に見られてしまうことがある。なお、パスワードのロックにより閲覧を制限することも可能であるが、本人の使用の際にの面倒な作業（パスワードの入力）が生じる。指紋照合装置を内蔵した携帯電話装置も存在するが、同様に、指紋照合の手間がかかる。
【０００４】
なお、コンピュータ機器では、スクリーンセイバーの機能を用いて、第三者の画面閲覧を防止することが可能である。しかし、この場合も、予めスクリーンセイバーを作動させる準備として、所定の不使用時間後にスクリーンセイバーを起動させる、などの操作が必要である。また、所定の不使用時間後にスクリーンセイバーが起動する設定であると、スクリーンセイバーが起動するまでの間は何の保護もされない状態になっている。
【０００５】
一方、ノート型のコンピュータ機器の場合、ＵＳＢのポートに、専用メモリを挿入しておくことで通常の動作が可能であり、この専用メモリを取り外すと画面がロックされるという機器も存在している。この種の技術としては、以下の特許文献１に記載されている。
【特許文献１】特開２００６−２３６３０７号公報
【発明の開示】
【発明が解決しようとする課題】
【０００６】
上記特許文献１に開示された技術によれば、ＵＳＢポートに挿入してある専用メモリを取り外すことでコンピュータ機器がロックされることになるが、急な電話、トイレ休憩、急な呼び出し、などの場合に専用メモリを取り外し忘れると、コンピュータ機器はロックされない状態のままになる。また、逆に、第三者が専用メモリを用いれば、何の障害もなくコンピュータ機器を使用できてしまうことになる。
【０００７】
このように、本人の不注意、あるいは、不正利用された場合に受ける損害は極めて大きく、上記特許文献１に開示された技術だけでは十分なセキュリティが確保されるとは言い難い。
【０００８】
また、使用開始時に生体認証やパスワードなどでログオンを認める手法は各種存在しているが、紛失だけではなく、急に席を離れるような場合にも自動的にロックが作動するようなシステムは存在していなかった。
【０００９】
本発明は、このような状況に鑑み創案されたもので、コンピュータ機器や携帯電話装置などの情報端末装置を使用する際に、その情報端末装置を紛失したり盗難されたりだけでなく、席を離れたような場合でも、第三者による不正利用や閲覧をより確実に防止できるようにして、十分なセキュリティを確保し、利用者の被る損害を最小限に抑えることを目
的としている。
【課題を解決するための手段】
【００１０】
上記の課題を解決する本発明は、以下のようなものである。
（１）請求項１記載の発明は、利用者によって利用され、第一位置を検出する第一位置検出手段、各種画面表示を行う表示手段、前記表示手段の表示状態を制御する制御手段を有する情報端末装置と、前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記情報端末装置に通知する通知手段、を有する生体データ検出端末装置とをそなえ、前記情報端末装置は、前記第一位置と前記第二位置との間の距離が所定範囲を超えた場合、あるいは、第二位置が確認できない場合、前記制御手段により前記表示手段の表示画面をロックする、ことを特徴とする情報端末装置管理システムである。
【００１１】
（２）請求項２記載の発明は、利用者により利用される情報端末装置の動作状態を管理する管理サーバと、前記利用者によって利用され、第一位置を検出する第一位置検出手段、該第一位置検出手段によって検出された前記第一位置を前記管理サーバに通知する第一通知手段、各種画面表示を行う表示手段、前記表示手段の表示状態を制御する制御手段、および、前記管理サーバにアクセスするアクセス手段を有する情報端末装置と、前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記管理サーバに通知する第二通知手段、を有する生体データ検出端末装置とをそなえ、前記管理サーバは、前記情報端末装置の前記第一通知手段によって通知された前記第一位置と前記生体データ検出端末装置の前記第二通知手段によって通知された前記第二位置との間の距離が所定範囲を超えた場合、あるいは、前記第一位置もしくは前記第二位置のいずれか一方が確認できない場合、前記情報端末装置の表示画面をロックする命令を前記情報端末装置に与える、ことを特徴とする情報端末装置管理システムである。
【００１２】
なお、上記生体データ検出端末装置は、前記利用者の身体の一部に装着され、前記利用者によって携帯される、前記情報端末装置とは別体の装置であることが望ましい。
（３）請求項３記載の発明は、利用者により利用される情報端末装置の動作状態を管理する管理サーバと、前記利用者によって利用され、第一位置を検出する第一位置検出手段、該第一位置検出手段によって検出された前記第一位置を前記管理サーバに通知する第一通知手段、各種画面表示を行う表示手段、前記表示手段の表示状態を制御する制御手段、および、前記管理サーバにアクセスするアクセス手段を有する情報端末装置と、前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記管理サーバに通知する第二通知手段、を有する生体データ検出端末装置とをそなえ、前記管理サーバは、前記情報端末装置の前記第一通知手段によって通知された前記第一位置と前記生体データ検出端末装置の前記第二通知手段によって通知された前記第二位置との間の距離が所定範囲を超えた場合、あるいは、前記第一位置もしくは前記第二位置のいずれか一方が確認できない場合、前記情報端末装置の表示画面をロックする命令を前記情報端末装置に与えると共に、前記ロック後に前記距離が所定範囲内になった場合、前記情報端末装置の表示画面のロックを解除する命令を前記情報端末装置に与える、ことを特徴とする情報端末装置管理システムである。
【００１３】
（４）請求項４記載の発明は、前記管理サーバは、一回限り使用可能なワンタイムパス
ワードを生成するワンタイムパスワード生成手段と、前記ワンタイムパスワード生成手段により生成されたワンタイムパスワードと前記利用者から返信されたワンタイムパスワードとを比較することにより認証判定を行なう認証手段と、をさらに備え、前記生体データ検出端末装置は、前記生体センサにより検出された利用者の生体データ値により該利用者本人であることを確認して前記ワンタイムパスワード生成手段と同期して前記ワンタイムパスワードを表示するワンタイムパスワード処理手段をさらに備え、前記管理サーバは、前記情報端末装置の表示画面をパスワードにより解除可能な状態でロックする命令を前記情報端末装置に与え、前記生体データ検出端末装置の表示を参照した前記利用者によって前記情報端末装置の入力手段に入力されて返信されたワンタイムパスワードにより前記認証手段で認証がなされた場合、前記情報端末装置の表示画面のロックを解除する命令を前記情報端末装置に与える、ことを特徴とする請求項２に記載の情報端末装置管理システムである。
【００１４】
（５）請求項５記載の発明は、前記管理サーバは、前記ワンタイムパスワード生成手段によって生成されたワンタイムパスワードを前記生体データ検出端末装置に送信する送信手段をさらにそなえて構成され、前記生体データ検出端末装置では、ワンタイムパスワード処理手段が、前記管理サーバから送信された前記ワンタイムパスワードを受信し、前記生体センサにより検出された利用者の生体データ値により該利用者本人であることを確認して前記ワンタイムパスワードを表示する、ことを特徴とする請求項４記載の情報端末装置管理システムである。
【００１５】
（６）請求項６記載の発明は、前記生体データ検出端末装置では、前記管理サーバの前記ワンタイムパスワード生成手段と同期したワンタイムパスワードを前記ワンタイムパスワード処理手段で生成し、前記生体センサにより検出された利用者の生体データ値により該利用者本人であることを確認して前記ワンタイムパスワードを表示する、ことを特徴とする請求項４記載の情報端末装置管理システムである。
【００１６】
（７）請求項７記載の発明は、前記管理サーバは、該管理サーバへの利用者からの前記ワンタイムパスワードの返信が所定時間以上経過している場合、システム管理者もしくは前記利用者に対し警告通知を行なう警告手段をさらにそなえる、請求項４〜請求項６のいずれか１項に記載の情報端末装置管理システムである。
【００１７】
（８）請求項８記載の発明は、前記管理サーバは、前記距離が所定時間以上に亘って前記所定範囲外である場合、システム管理者もしくは前記利用者に対し警告通知を行なう警告手段をさらにそなえたことを特徴とする、請求項２〜請求項７のいずれか１項に記載の情報端末装置管理システムである。
【００１８】
（９）請求項９記載の発明は、前記情報端末装置が携帯電話装置、あるいは、ノート型情報端末装置である、ことを特徴とする請求項１〜請求項８のいずれか一項に記載の情報端末装置管理システムである。
【００１９】
（１０）請求項１０記載の発明は、前記生体データ検出端末装置が、腕時計にそなえられている、ことを特徴とする請求項１〜請求項９のいずれか一項に記載の情報端末装置管理システムである。
【００２０】
（１１）請求項１１記載の発明は、前記利用者によって利用され、第一位置を検出する第一位置検出手段、該第一位置検出手段によって検出された前記第一位置を管理サーバに通知する第一通知手段、各種画面表示を行う表示手段、前記表示手段の表示状態を制御する制御手段、および、前記管理サーバにアクセスするアクセス手段を有する情報端末装置と、前記利用者によって利用され、第二位置を検出する第二位置検出手段、前記利用者の
生体データ値を検出する生体センサ、前記生体センサにより検出された利用者の生体データ値により該利用者本人であることを確認し、該第二位置検出手段によって検出された前記第二位置を前記管理サーバに通知する第二通知手段、を有する生体データ検出端末装置とをそなえた情報端末装置管理システム、で用いられ、利用者により利用される情報端末装置の動作状態を管理する管理サーバであって、前記情報端末装置の前記第一通知手段によって通知された前記第一位置と前記生体データ検出端末装置の前記第二通知手段によって通知された前記第二位置との間の距離が所定範囲を超えた場合、あるいは、前記第一位置もしくは前記第二位置のいずれか一方が確認できない場合、前記情報端末装置の表示画面をロックする命令を前記情報端末装置に与える、ことを特徴とする管理サーバである。
【００２１】
（１２）請求項１２記載の発明は、利用者によって利用され、第一位置を検出する第一位置検出手段、各種画面表示を行う表示手段、前記表示手段の表示状態を制御する制御手段を有する情報端末装置、前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記情報端末装置に通知する通知手段、を有する生体データ検出端末装置、としてコンピュータを機能させるプログラムであって、前記第一位置と前記第二位置との間の距離が所定範囲を超えた場合、あるいは、第二位置が確認できない場合、前記制御手段により前記表示手段の表示画面をロックするよう前記情報端末装置内の制御手段が制御する、ことを特徴とする情報端末装置管理プログラムである。
【００２２】
（１３）請求項１３記載の発明は、利用者により利用される情報端末装置の動作状態を管理する管理サーバ、前記利用者によって利用され、第一位置を検出する第一位置検出手段、該第一位置検出手段によって検出された前記第一位置を前記管理サーバに通知する第一通知手段、各種画面表示を行う表示手段、前記表示手段の表示状態を制御する制御手段、および、前記管理サーバにアクセスするアクセス手段を有する情報端末装置、前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記管理サーバに通知する第二通知手段、を有する生体データ検出端末装置、としてコンピュータを機能させるプログラムであって、前記情報端末装置の前記第一通知手段によって通知された前記第一位置と前記生体データ検出端末装置の前記第二通知手段によって通知された前記第二位置との間の距離が所定範囲を超えた場合、あるいは、前記第一位置もしくは前記第二位置のいずれか一方が確認できない場合、前記情報端末装置の表示画面をロックする命令を前記管理サーバから前記情報端末装置に与える、ことを特徴とする情報端末装置管理プログラムである。
【００２３】
なお、前記生体データ検出端末装置は、前記生体データ値により前記利用者の体調管理を行なうもの（体調管理用携帯情報端末装置）を用いることができる。
さらに、携帯型の位置検出手段が前記生体データ検出端末装置にそなえられている場合、その生体データ検出端末装置に、下記項目（１４）〜（１９）のごとき各種手段や機能をそなえてもよい。
【００２４】
（１４）前記生体データ検出端末装置に、前記利用者の所在雰囲気中の気象データを検出する気象センサと、前記利用者の体調を管理するための生体データ閾値を、気象条件毎に予め設定されて保持する閾値テーブルと、前記気象センサによって検出された気象データに対応する気象条件について設定された生体データ閾値を前記閾値テーブルから検索して読み出す閾値読出手段と、該閾値読出手段によって読み出された生体データ閾値と前記生体センサによって検出された生体データ値とを比較する比較手段と、該比較手段による比較の結果、前記利用者の体調異状を検知した場合、前記利用者に対して警告を発する体
調異状警告手段とをそなえる。
【００２５】
（１５）上記項目（１４）の生体データ検出端末装置に、前記比較手段による比較の結果、前記利用者の体調異状を検知した場合、その旨を所定の連絡先に通知する体調異状通知手段と、前記体調異状警告手段による警告動作を停止させる操作が前記利用者によって所定時間内に実行された場合、前記体調異状通知手段による通知動作を実行するか否かについて前記利用者に問い合せる問合せ手段と、前記体調異状警告手段による警告動作を停止させる操作が前記利用者によって所定時間以上実行されない場合、もしくは、前記問合せ手段による問合せに対し前記体調異状通知手段による通知動作を実行する旨の回答を前記利用者が行なった場合、前記体調異状通知手段に通知動作を実行させるように、前記体調異状通知手段を制御する制御手段とをそなえる。
【００２６】
（１６）上記項目（１５）の生体データ検出端末装置において、前記利用者が前記問合せ手段による問合せに対し所定回数連続して前記体調異状通知手段による通知動作の実行を拒否した場合、前記制御手段が前記体調異状通知手段に通知動作を強制的に実行させる。
【００２７】
（１７）上記項目（１６）の生体データ検出端末装置において、前記体調異状警告手段による警告動作を停止させる操作が所定時間以上実行されない場合と、前記体調異状警告手段による警告動作を停止させる操作が所定時間内に実行された場合と、前記利用者が前記問合せ手段による問合せに対し所定回数連続して前記体調異状通知手段による通知動作の実行を拒否した場合とで、前記体調異状通知手段が、異なる連絡先に対し前記利用者の体調異状を通知する。
【００２８】
（１８）上記項目（１５）〜（１７）の生体データ検出端末装置において、前記体調異状通知手段が、前記利用者の体調異状を通知する際に、前記生体センサによって検出されている生体データ値も通知する。
【００２９】
（１９）上記項目（１５）〜（１８）の生体データ検出端末装置において、前記体調異状通知手段が、前記利用者の体調異状を通知する際に、位置検出手段によって検出されている前記第二位置も通知する。
【発明の効果】
【００３０】
以上のような本発明によれば、以下のような効果を得ることができる。
（１）請求項１記載の情報端末装置管理システムでは、情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、情報端末装置の制御手段、情報端末装置の表示画面をロックする制御を行う。なお、生体データ検出端末装置は、利用者の身体の一部に装着され、利用者によって携帯される、情報端末装置とは別体の装置（体調管理用携帯端末装置）であることが望ましい。
【００３１】
つまり、利用者によって携帯されるべき生体データ検出端末装置と、利用者によって利用されるべき情報端末装置との現在位置間の距離が所定範囲内にある場合、言い換えれば２種類の装置を正当な利用者本人が所持し利用しているものと判断可能な状況である場合にのみ、情報端末装置を使用し続けることができる。
【００３２】
従って、正当な利用者が情報端末装置から離れれば、情報端末装置は表示画面がロックされて使用できない状態になる。すなわち、急な電話、トイレ休憩、急な呼び出し、などの場合にも、特別な操作をすることなく、情報端末装置がロックされた状態になる。
【００３３】
一方、情報端末装置を紛失したり盗難されたりしても、生体データ検出端末装置を所持していなければ、情報端末装置の表示画面はロックされた状態であり、使用できない状態になる。
【００３４】
同様に、生体データ検出端末装置を紛失したり盗難されたりしても、生体データ検出端末装置は正当な利用者の生体データ値によって正当な利用者本人か否かの確認を行うため、正当な利用者本人以外に対しては、情報端末装置の表示画面はロックされた状態であり、使用できない状態になる。
【００３５】
すなわち、生体データ検出端末装置か情報端末装置の一方、あるいは、両方を紛失したり盗難されたりしても、正当な利用者本人が身につけた状態の生体データ検出端末装置が存在しなければ、情報端末装置の表示画像メモリがロックされた状態になるため、悪意のある第三者による不正利用をより確実に防止することができ、十分なセキュリティが確保され、利用者の被る損害を最小限に抑えることができるのである。
【００３６】
そして、腕時計や体調管理用携帯情報端末装置などのように利用者の身体に常時装着される装置に生体データ検出端末装置としての機能をそなえることで、本発明のシステムはより有効に機能し、十分なセキュリティの確保に寄与することになる。
【００３７】
また、体調管理などのために常時あるいは連続的に一定時間取得されている生体データ値を用いるため、生体認証のための専用のスキャン操作などが不要になる利点がある。また、さらに、体調管理のために常時あるいは連続的に一定時間取得されている生体データ値を用いるため、生体データ値を盗まれたりしにくく、なりすましに対しても強いという利点がある。
【００３８】
したがって、コンピュータ機器や携帯電話装置などの情報端末装置を使用する際に、その情報端末装置を紛失したり盗難されたりだけでなく、席を離れたような場合でも、第三者による不正利用や閲覧をより確実に防止できるようにして、十分なセキュリティを確保し、利用者の被る損害を最小限に抑えることが可能になる。
【００３９】
（２）請求項２記載の情報端末装置管理システムでは、情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、管理サーバは、情報端末装置の表示画面をロックする命令を情報端末装置に与える。
【００４０】
なお、生体データ検出端末装置は、利用者の身体の一部に装着され、利用者によって携帯される、情報端末装置とは別体の装置（体調管理用携帯端末装置）であることが望ましい。
【００４１】
つまり、利用者によって携帯されるべき生体データ検出端末装置と、利用者によって利用されるべき情報端末装置との現在位置間の距離が所定範囲内にある場合、言い換えれば２種類の装置を正当な利用者本人が所持し利用しているものと判断可能な状況である場合にのみ、情報端末装置を使用し続けることができる。
【００４２】
従って、正当な利用者が情報端末装置から離れれば、情報端末装置は管理サーバからの命令によって表示画面がロックされて使用できない状態になる。すなわち、急な電話、トイレ休憩、急な呼び出し、などの場合にも、特別な操作をすることなく、情報端末装置がロックされた状態になる。
【００４３】
一方、情報端末装置を紛失したり盗難されたりしても、生体データ検出端末装置を所持していなければ、情報端末装置の表示画面はロックされた状態であり、使用できない状態になる。
【００４４】
同様に、生体データ検出端末装置を紛失したり盗難されたりしても、生体データ検出端末装置は正当な利用者の生体データ値によって正当な利用者本人か否かの確認を行うため、正当な利用者本人以外に対しては、情報端末装置の表示画面はロックされた状態であり、使用できない状態になる。
【００４５】
すなわち、生体データ検出端末装置か情報端末装置の一方、あるいは、両方を紛失したり盗難されたりしても、正当な利用者本人が身につけた状態の生体データ検出端末装置が存在しなければ、情報端末装置の表示画像メモリがロックされた状態になるため、悪意のある第三者による不正利用をより確実に防止することができ、十分なセキュリティが確保され、利用者の被る損害を最小限に抑えることができるのである。
【００４６】
そして、腕時計や体調管理用携帯情報端末装置などのように利用者の身体に常時装着される装置に生体データ検出端末装置としての機能をそなえることで、本発明のシステムはより有効に機能し、十分なセキュリティの確保に寄与することになる。
【００４７】
また、体調管理などのために常時あるいは連続的に一定時間取得されている生体データ値を用いるため、生体認証のための専用のスキャン操作などが不要になる利点がある。また、さらに、体調管理のために常時あるいは連続的に一定時間取得されている生体データ値を用いるため、生体データ値を盗まれたりしにくく、なりすましに対しても強いという利点がある。
【００４８】
したがって、コンピュータ機器や携帯電話装置などの情報端末装置を使用する際に、その情報端末装置を紛失したり盗難されたりだけでなく、席を離れたような場合でも、第三者による不正利用や閲覧をより確実に防止できるようにして、十分なセキュリティを確保し、利用者の被る損害を最小限に抑えることが可能になる。
【００４９】
（３）請求項３記載のの情報端末装置管理システムでは、情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、管理サーバは、情報端末装置の表示画面をロックする命令を情報端末装置に与える。さらに、ロック後に第一位置と第二位置との距離が所定範囲内になった場合、情報端末装置の表示画面のロックを解除する命令を情報端末装置に与える。
【００５０】
なお、生体データ検出端末装置は、利用者の身体の一部に装着され、利用者によって携帯される、情報端末装置とは別体の装置（体調管理用携帯端末装置）であることが望ましい。
【００５１】
つまり、利用者によって携帯されるべき生体データ検出端末装置と、利用者によって利用されるべき情報端末装置との現在位置間の距離が所定範囲内にある場合、言い換えれば２種類の装置を正当な利用者本人が所持し利用しているものと判断可能な状況である場合にのみ、情報端末装置を使用し続けることができる。
【００５２】
従って、正当な利用者が情報端末装置から離れれば、情報端末装置は管理サーバからの命令によって表示画面がロックされて使用できない状態になる。すなわち、急な電話、ト
イレ休憩、急な呼び出し、などの場合にも、特別な操作をすることなく、情報端末装置がロックされた状態になる。
【００５３】
一方、情報端末装置を紛失したり盗難されたりしても、生体データ検出端末装置を所持していなければ、情報端末装置の表示画面はロックされた状態であり、使用できない状態になる。
【００５４】
同様に、生体データ検出端末装置を紛失したり盗難されたりしても、生体データ検出端末装置は正当な利用者の生体データ値によって正当な利用者本人か否かの確認を行うため、正当な利用者本人以外に対しては、情報端末装置の表示画面はロックされた状態であり、使用できない状態になる。
【００５５】
すなわち、生体データ検出端末装置か情報端末装置の一方、あるいは、両方を紛失したり盗難されたりしても、正当な利用者本人が身につけた状態の生体データ検出端末装置が存在しなければ、情報端末装置の表示画像メモリがロックされた状態になるため、悪意のある第三者による不正利用をより確実に防止することができ、十分なセキュリティが確保され、利用者の被る損害を最小限に抑えることができるのである。
【００５６】
そして、情報端末装置の表示画面のロック後に、第一位置と第二位置との間の距離が所定範囲内になった場合、情報端末装置の表示画面のロックを解除する命令を、管理サーバが情報端末装置に与える。
【００５７】
従って、正当な利用者が情報端末装置から離れて情報端末装置の表示画面がロックされた後に、正当な利用者が戻れば、情報端末装置は管理サーバからの命令によって表示画面のロックが解除されて使用可能な状態になる。すなわち、急な電話、トイレ休憩、急な呼び出し、などの場合にも、特別な操作をすることなく情報端末装置がロックされ、かつ、戻った場合にロックが解除された状態になる。
【００５８】
そして、腕時計や体調管理用携帯情報端末装置などのように利用者の身体に常時装着される装置に生体データ検出端末装置としての機能をそなえることで、本発明のシステムはより有効に機能し、十分なセキュリティの確保に寄与することになる。
【００５９】
また、体調管理などのために常時あるいは連続的に一定時間取得されている生体データ値を用いるため、生体認証のための専用のスキャン操作などが不要になる利点がある。また、さらに、体調管理のために常時あるいは連続的に一定時間取得されている生体データ値を用いるため、生体データ値を盗まれたりしにくく、なりすましに対しても強いという利点がある。
【００６０】
したがって、コンピュータ機器や携帯電話装置などの情報端末装置を使用する際に、その情報端末装置を紛失したり盗難されたりだけでなく、席を離れたような場合でも、第三者による不正利用や閲覧をより確実に防止できるようにして、十分なセキュリティを確保し、利用者の被る損害を最小限に抑えることが可能になる。
【００６１】
（４）請求項４記載の発明では、生体データ検出端末装置では、生体センサにより検出された利用者の生体データ値により該利用者本人であることが確認された場合に、管理サーバと同期したワンタイムパスワードが表示されるため、第三者がワンタイムパスワードを利用することはできず、本人にのみが情報端末装置を使用することができる。
【００６２】
（５）請求項５記載の発明では、生体データ検出端末装置では、ワンタイムパスワード処理手段が、管理サーバから送信されたワンタイムパスワードを受信し、生体センサによ
り検出された利用者の生体データ値により該利用者本人であることを確認してワンタイムパスワードを表示するため、ワンタイムパスワード生成のための専用のハードウェアやソフトウェアが不要になる。
【００６３】
（６）請求項６記載の発明では、ワンタイムパスワード生成機能によって生成されたワンタイムパスワードと同期した状態のワンタイムパスワードを生体データ検出端末装置側で生成することで、ワンタイムパスワードの送受信のための専用のハードウェアを生体データ検出端末装置に設けることなく、ワンタイムパスワードを用いて確実なセキュリティの確保が可能になる。
【００６４】
（７）請求項７記載の発明では、ワンタイムパスワードの返信に一定以上の時間がかかる場合、システム管理者や利用者に対し警告通知を行なうことにより、情報端末装置の置き忘れや盗難を確実に防止したり、情報端末装置の置き忘れや盗難に対する対処を直ちに実行したりすることが可能になる。
【００６５】
（８）請求項８記載の発明では、第一位置と第二位置との間の距離が所定時間以上に亘って所定範囲外である場合、システム管理者や利用者に対し警告通知を行なうことにより、情報端末装置の置き忘れや盗難を確実に防止したり、情報端末装置の置き忘れや盗難に対する対処を直ちに実行したりすることが可能になる。
【００６６】
（９）請求項９記載の発明では、情報端末装置を携帯電話装置あるいはノート型情報端末装置で構成することで、所持が容易になり、紛失したり盗難されたりしても、正当な利用者本人が身につけた状態の生体データ検出端末装置が存在しなければ、情報端末装置の表示画像メモリがロックされた状態になるため、悪意のある第三者による不正利用をより確実に防止することができ、十分なセキュリティが確保され、利用者の被る損害を最小限に抑えることができる。
【００６７】
（１０）請求項１０記載の発明では、生体データ検出端末装置が、腕時計にそなえられていることで、所持が容易になり、急な電話、トイレ休憩、急な呼び出し、などの場合にも、特別な操作をすることなく情報端末装置がロックされ、かつ、戻った場合にロックが解除されることを、容易かつ確実に実現することができる。このため、悪意のある第三者による不正利用をより確実に防止することができ、十分なセキュリティが確保され、利用者の被る損害を最小限に抑えることができる。
【００６８】
（１１）請求項１１記載の管理サーバでは、情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、管理サーバは、情報端末装置の表示画面をロックする命令を情報端末装置に与える。
【００６９】
つまり、利用者によって携帯されるべき生体データ検出端末装置と、利用者によって利用されるべき情報端末装置との現在位置間の距離が所定範囲内にある場合、言い換えれば２種類の装置を正当な利用者本人が所持し利用しているものと判断可能な状況である場合にのみ、情報端末装置を使用し続けることができる。
【００７０】
従って、正当な利用者が情報端末装置から離れれば、情報端末装置は管理サーバからの命令によって表示画面がロックされて使用できない状態になる。すなわち、急な電話、トイレ休憩、急な呼び出し、などの場合にも、特別な操作をすることなく、情報端末装置がロックされた状態になる。
【００７１】
一方、情報端末装置を紛失したり盗難されたりしても、生体データ検出端末装置を所持していなければ、情報端末装置の表示画面はロックされた状態であり、使用できない状態になる。
【００７２】
同様に、生体データ検出端末装置を紛失したり盗難されたりしても、生体データ検出端末装置は正当な利用者の生体データ値によって正当な利用者本人か否かの確認を行うため、正当な利用者本人以外に対しては、情報端末装置の表示画面はロックされた状態であり、使用できない状態になる。
【００７３】
すなわち、生体データ検出端末装置か情報端末装置の一方、あるいは、両方を紛失したり盗難されたりしても、正当な利用者本人が身につけた状態の生体データ検出端末装置が存在しなければ、情報端末装置の表示画像メモリがロックされた状態になるため、悪意のある第三者による不正利用をより確実に防止することができ、十分なセキュリティが確保され、利用者の被る損害を最小限に抑えることができるのである。
【００７４】
そして、腕時計や体調管理用携帯情報端末装置などのように利用者の身体に常時装着される装置に生体データ検出端末装置としての機能をそなえることで、本発明のシステムはより有効に機能し、十分なセキュリティの確保に寄与することになる。
【００７５】
また、体調管理などのために常時あるいは連続的に一定時間取得されている生体データ値を用いるため、生体認証のための専用のスキャン操作などが不要になる利点がある。また、さらに、体調管理のために常時あるいは連続的に一定時間取得されている生体データ値を用いるため、生体データ値を盗まれたりしにくく、なりすましに対しても強いという利点がある。
【００７６】
したがって、コンピュータ機器や携帯電話装置などの情報端末装置を使用する際に、その情報端末装置を紛失したり盗難されたりだけでなく、席を離れたような場合でも、第三者による不正利用や閲覧をより確実に防止できるようにして、十分なセキュリティを確保し、利用者の被る損害を最小限に抑えることが可能になる。
【００７７】
（１２）請求項１２記載の情報端末装置管理プログラムでは、情報端末装置側の第一位置と、生体データ検出端末装置の通知手段によって通知された第二位置との間の距離が所定範囲を超えた場合、あるいは、前記第一位置もしくは前記第二位置のいずれか一方が確認できない場合、情報端末装置の制御手段は、情報端末装置の表示画面をロックする命令を発生する。
【００７８】
つまり、利用者によって携帯されるべき生体データ検出端末装置と、利用者によって利用されるべき情報端末装置との現在位置間の距離が所定範囲内にある場合、言い換えれば２種類の装置を正当な利用者本人が所持し利用しているものと判断可能な状況である場合にのみ、情報端末装置を使用し続けることができる。従って、正当な利用者が情報端末装置から離れれば、情報端末装置は管理サーバからの命令によって表示画面がロックされて使用できない状態になる。すなわち、急な電話、トイレ休憩、急な呼び出し、などの場合にも、特別な操作をすることなく、情報端末装置がロックされた状態になる。一方、情報端末装置を紛失したり盗難されたりしても、生体データ検出端末装置を所持していなければ、情報端末装置の表示画面はロックされた状態であり、使用できない状態になる。
【００７９】
同様に、生体データ検出端末装置を紛失したり盗難されたりしても、生体データ検出端末装置は正当な利用者の生体データ値によって正当な利用者本人か否かの確認を行うため、正当な利用者本人以外に対しては、情報端末装置の表示画面はロックされた状態であり、使用できない状態になる。すなわち、生体データ検出端末装置か情報端末装置の一方、
あるいは、両方を紛失したり盗難されたりしても、正当な利用者本人が身につけた状態の生体データ検出端末装置が存在しなければ、情報端末装置の表示画像メモリがロックされた状態になるため、悪意のある第三者による不正利用をより確実に防止することができ、十分なセキュリティが確保され、利用者の被る損害を最小限に抑えることができるのである。
【００８０】
そして、腕時計や体調管理用携帯情報端末装置などのように利用者の身体に常時装着される装置に生体データ検出端末装置としての機能をそなえることで、本発明のシステムはより有効に機能し、十分なセキュリティの確保に寄与することになる。また、体調管理などのために常時あるいは連続的に一定時間取得されている生体データ値を用いるため、生体認証のための専用のスキャン操作などが不要になる利点がある。また、さらに、体調管理のために常時あるいは連続的に一定時間取得されている生体データ値を用いるため、生体データ値を盗まれたりしにくく、なりすましに対しても強いという利点がある。したがって、コンピュータ機器や携帯電話装置などの情報端末装置を使用する際に、その情報端末装置を紛失したり盗難されたりだけでなく、席を離れたような場合でも、第三者による不正利用や閲覧をより確実に防止できるようにして、十分なセキュリティを確保し、利用者の被る損害を最小限に抑えることが可能になる。
【００８１】
（１３）請求項１３記載の情報端末装置管理プログラムでは、情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、管理サーバは、情報端末装置の表示画面をロックする命令を情報端末装置に与える。
【００８２】
つまり、利用者によって携帯されるべき生体データ検出端末装置と、利用者によって利用されるべき情報端末装置との現在位置間の距離が所定範囲内にある場合、言い換えれば２種類の装置を正当な利用者本人が所持し利用しているものと判断可能な状況である場合にのみ、情報端末装置を使用し続けることができる。従って、正当な利用者が情報端末装置から離れれば、情報端末装置は管理サーバからの命令によって表示画面がロックされて使用できない状態になる。すなわち、急な電話、トイレ休憩、急な呼び出し、などの場合にも、特別な操作をすることなく、情報端末装置がロックされた状態になる。一方、情報端末装置を紛失したり盗難されたりしても、生体データ検出端末装置を所持していなければ、情報端末装置の表示画面はロックされた状態であり、使用できない状態になる。
【００８３】
同様に、生体データ検出端末装置を紛失したり盗難されたりしても、生体データ検出端末装置は正当な利用者の生体データ値によって正当な利用者本人か否かの確認を行うため、正当な利用者本人以外に対しては、情報端末装置の表示画面はロックされた状態であり、使用できない状態になる。すなわち、生体データ検出端末装置か情報端末装置の一方、あるいは、両方を紛失したり盗難されたりしても、正当な利用者本人が身につけた状態の生体データ検出端末装置が存在しなければ、情報端末装置の表示画像メモリがロックされた状態になるため、悪意のある第三者による不正利用をより確実に防止することができ、十分なセキュリティが確保され、利用者の被る損害を最小限に抑えることができるのである。そして、腕時計や体調管理用携帯情報端末装置などのように利用者の身体に常時装着される装置に生体データ検出端末装置としての機能をそなえることで、本発明のシステムはより有効に機能し、十分なセキュリティの確保に寄与することになる。また、体調管理などのために常時あるいは連続的に一定時間取得されている生体データ値を用いるため、生体認証のための専用のスキャン操作などが不要になる利点がある。また、さらに、体調管理のために常時あるいは連続的に一定時間取得されている生体データ値を用いるため、生体データ値を盗まれたりしにくく、なりすましに対しても強いという利点がある。したがって、コンピュータ機器や携帯電話装置などの情報端末装置を使用する際に、その情報
端末装置を紛失したり盗難されたりだけでなく、席を離れたような場合でも、第三者による不正利用や閲覧をより確実に防止できるようにして、十分なセキュリティを確保し、利用者の被る損害を最小限に抑えることが可能になる。
【００８４】
なお、利用者が生体データ検出端末装置を身体から取り外したりして生体センサによる検出動作の中断および再開が生じたような場合、生体データ値の中断前統計値および再開後統計値を算出し、これらの統計値が同一利用者の生体データ値の統計値でなければ情報端末装置の表示画面をロックすることで、生体センサによる検出動作の中断前後の利用者が同一人物であるか否かを生体データ値に基づいて統計的に判断することができるので、明らかに異なる人物である場合には情報端末装置の表示画面をロックすることでき、不正利用をより確実に防止することができ、十分なセキュリティが確保されることになる。
【００８５】
この場合、生体データ値の検出動作が中断してから再開後統計値に基づく判断が確定するまで情報端末装置の表示画面をロックすることで、検出動作の中断後から判断確定までの間隙をついての不正利用が確実に防止され、十分なセキュリティが確保される。
【００８６】
また、利用者が生体データ検出端末装置を身体から取り外したりして生体センサによる検出動作の中断および再開が生じたような場合、同一利用者の生体データ値の統計値でなければ情報端末装置の表示画面をロックし続けることで、生体センサによる検出動作の中断前後の利用者が同一人物であるか否かを生体データ値に基づいて統計的に判断することができるので、明らかに異なる人物である場合には情報端末装置の表示画面をロックすることができ、不正利用をより確実に防止することができ、十分なセキュリティが確保されることになる。
【００８７】
さらに、生体データ検出端末装置に、利用者の体調を管理するための生体データ閾値を閾値テーブルにおいて気象条件毎に予め設定しておき、気象センサによって検出された気象データに対応する気象条件について設定された生体データ閾値を閾値テーブルから検索して読み出し、読み出された生体データ閾値と生体センサによって検出された生体データ値とを比較した結果、利用者の体調異状を検知した場合に、利用者に対して警告を発したり、利用者の体調異状を所定の連絡先へ通知したりする。
【００８８】
これにより、利用者の所在雰囲気中の気象データに応じた生体データ閾値を基準にして利用者の体調を管理・判断することができるので、利用者の所在雰囲気中の気象データを考慮した適切な管理・判断が可能になり、さらに、その判断結果に応じて利用者本人に対する警告や管理者などへの通知を適切に行なえ、利用者の自己判断に頼ることなく、利用者の体調に応じた適切な対処・対応を直ちに実行することができる。
【００８９】
このとき、利用者に対する体調異状の警告を行なった場合に、その警告動作を停止させる操作が利用者によって所定時間以上実行されなければ、利用者が意識を無くしている等のかなり危険な状態であると判断され、利用者の体調異状の通知が直ちに実行されるので、迅速な対応をとることができる。その際、消防等に通知を行なうことで、救急車等の緊急車両の手配を直ちに行なうことができるほか、生体センサによって検出されている生体データ値を同時に通知することで、生体データ値に応じた適切な処置をより迅速に行なえるようになる。さらに、利用者の所在位置（第二位置）を同時に通知することで、利用者の所在位置を直ちに確認することができ、利用者が所在する場所に、緊急車両等を直ちに向かわせることができ、迅速な初動対応を実現することができる。
【００９０】
このとき、利用者に対する体調異状の警告を行なった場合に、その警告動作を停止させる操作が利用者によって所定時間以上実行されなければ、利用者が意識を無くしている等のかなり危険な状態であると判断され、利用者の体調異状の通知が直ちに実行されるので
、迅速な対応をとることができる。その際、消防等に通知を行なうことで、救急車等の緊急車両の手配を直ちに行なうことができるほか、生体センサによって検出されている生体データ値を同時に通知することで、生体データ値に応じた適切な処置をより迅速に行なえるようになる。さらに、生体データ検出端末装置の第二位置検出手段によって検出された利用者の所在位置（第二位置）を同時に通知することで、利用者の所在位置を直ちに確認することができ、利用者が所在する場所に、緊急車両等を直ちに向かわせることができ、迅速な初動対応を実現することができる。
【００９１】
また、警告動作を停止させる操作が利用者によって所定時間内に実行された場合、体調異状の通知を実行するか否かについて利用者に問い合せ、利用者の回答に応じて体調異状の通知を実行することにより、利用者に注意を喚起した上で、利用者自身の判断を仰いでから体調異状の通知が行なわれるので、むやみやたらに自動通知が行なわれないようにすることができる。そして、利用者が望めば通知が行なわれ、その際、通知として主治医への電話発呼を行なうことにより、利用者は、主治医に適切な処置の指示を仰ぐことができるほか、生体センサによって検出されている生体データ値を同時に通知することで、主治医は、適切な判断や、適切な処置の指示を行なうことができる。
【００９２】
上記問合せに対し利用者が所定回数連続して体調異状通知の実行を拒否した場合、つまり利用者が自己判断で警告を停止・解除しても異状が繰り返し検知される場合には、利用者はかなり危険な状態にあるものと判断し、体調異状の通知が強制的に行なわれ、迅速な対応をとることができるようになる。その際には、例えば、友人や、親族，配偶者などの近親者に対する通知を行なうほか、携帯型位置検出装置（第二位置検出手段）によって検出された利用者の所在位置（第二位置）を同時に通知することで、利用者の所在位置を直ちに確認することができ、利用者が所在する場所に友人や近親者が直ちに向かうことができる。
【００９３】
上記問合せに対し利用者が所定回数連続して体調異状通知の実行を拒否した場合、つまり利用者が自己判断で警告を停止・解除しても異状が繰り返し検知される場合には、利用者はかなり危険な状態にあるものと判断し、体調異状の通知が強制的に行なわれ、迅速な対応をとることができるようになる。その際には、例えば、友人や、親族，配偶者などの近親者に対する通知を行なうほか、生体データ検出端末装置の第二位置検出手段によって検出された利用者の所在位置（第二位置）を同時に通知することで、利用者の所在位置を直ちに確認することができ、利用者が所在する場所に友人や近親者が直ちに向かうことができる。
【発明を実施するための最良の形態】
【００９４】
以下、図面を参照して本発明の実施の形態を説明する。
〔１〕本実施形態の情報端末装置管理システムの構成：
図１は本発明の一実施形態としての情報端末装置管理システムの構成を示すブロック図で、図１に示す本実施形態の情報端末装置管理システム１は、利用者によって利用される、携帯電話装置，ＰＤＡ，コンピュータ機器などの情報端末装置を備えたシステムである。以下、本実施形態では、上記情報端末装置が携帯電話装置１０である場合について説明する。また、以下の実施形態では、生体データ検出端末装置が、利用者が身につけた状態にする体調管理用携帯端末装置２０である場合について説明する。
【００９５】
そして、本実施形態の端末装置管理システム１は、携帯電話装置１０，体調管理用携帯端末装置２０，管理者端末３０，連絡先端末４０，主治医端末５０，管理サーバ６０，体調管理サーバ８０およびネットワーク９０をそなえて構成されている。
【００９６】
携帯電話装置１０は、利用者によって所持・携帯されるもので、ネットワーク９０を介
して少なくとも管理サーバ６０と通信可能に構成されている。また、後述するように、非接触ＩＣを内蔵していて、各種サービスの提供を受ける機能を有して構成されている。
【００９７】
ここで、携帯電話装置１０を用いて受けられるサービスとは、たとえば、この携帯電話装置１０をサービス提供端末装置に近づけることによって実現される、金融機関取引機能（電子マネー機能，クレジットカード機能，デビットカード機能，などによる銀行口座の照会，入金，出金等）、電子定期券機能、電子チケット機能、電子商取引機能、電子パスポート機能、などを意味している。
【００９８】
そして、この携帯電話装置１０は、各部を制御する制御手段１０ａ、一般的な携帯電話装置機能（通話機能，電子メール機能など）を有するほか、少なくとも、ＧＰＳ位置検出部１１，送受信手段１２，アクセス手段１３，入力手段１４および表示手段１５としての機能を有している。
【００９９】
ここで、制御手段１０ａは、後述するように、制御手段１０ａの判断や管理サーバ６０からの命令により、表示手段１５の表示画面をロックする制御を行う。ここで、表示画面のロックとは、スクリーンセイバーの表示や、各種操作を受け付けない旨の表示、ロック状態を解除するためのパスワードのみを受け付ける旨の表示、などを意味している。また、この表示画面のロックには、「正当な利用者の存在を確認できません」などのメッセージを表示するようにしてもよい。
【０１００】
ここで、ＧＰＳ位置検出部（第一位置検出手段）１１は、後述するごとく管理サーバ６０（管理手段６２）からの第一位置要求に応じ、携帯電話装置１０の現在位置（所在位置；緯度・経度情報）を全地球方位計測システム（ＧＰＳ）によって第一位置として検出するものである。その際、携帯電話装置１０の現在の所在位置として、高度や深度を検出してもよい。その場合、気圧に基づいて高度を計測する高度計や水圧に基づいて深度を計測する深度計を第一位置検出手段としてそなえる。
【０１０１】
送受信手段（第一通知手段）１２は、ＧＰＳ位置検出部１１によって検出された前記第一位置を管理サーバ６０（管理手段６２）に通知するもので、管理サーバ６０（管理手段６２）に通知する際にはネットワーク９０を介して送受信を行なう。この送受信手段１２は、管理サーバ６０（管理手段６２）からの各種要求や通知（第一位置要求，エラー通知，警告など）を受信する機能も果たす。
【０１０２】
アクセス手段１３は、後述する制御手段６１に対するアクセスを行なうためのもので、管理サーバ６０に対してアクセスを行なう場合には、例えば携帯電話装置１０におけるキーボード（図示略）を操作して各種情報を入力しネットワーク９０を介してサービス提供用サイト（管理サーバ６０によって運営されるサイト）にアクセスする機能を果たすほか携帯電話装置１０に例えば非接触型ＩＣが内蔵されている場合には、その非接触型ＩＣがアクセス手段１３として機能することになる。
【０１０３】
入力手段１４は、利用者により各種の入力がなされるためのもので、本実施形態では、特に、表示画面ロック解除の認証の際にワンタイムパスワードの入力がなされる。また、表示手段１５には、通常は各種メッセージの表示がなされており、必要に応じて表示がロックされる。
【０１０４】
体調管理用携帯端末装置２０は、携帯電話装置１０とは別体のものであって、上記携帯電話装置１０の利用者の身体の一部（例えば腕）に腕時計のごとく装着されることにより常時所持・携帯されるもので、ネットワーク９０を介して管理者端末３０，連絡先端末４０，主治医端末５０，管理サーバ６０および体調管理サーバ８０と通信可能に構成されて
いる。
【０１０５】
また、この体調管理用携帯端末装置２０は、請求項における「生体データ検出端末装置」を構成している。そして、この体調管理用携帯端末装置２０は、少なくとも、ＧＰＳ位置検出部２０ＧＳ，送受信手段２５５，生体センサ２０ＢＳ，ワンタイムパスワード処理手段２５８，および表示手段２４としての機能を有している。これらの機能以外の機能を含む体調管理用携帯端末装置２０の詳細構成については、図２を参照しながら後述する。
【０１０６】
ここで、第二位置検出手段としてのＧＰＳ位置検出部２０ＧＳは、前述した携帯電話装置１０のＧＰＳ位置検出部１１と同様、後述するごとく管理サーバ６０（管理手段６２）からの第二位置要求に応じ、体調管理用携帯端末装置２０の現在位置（所在位置；緯度・経度情報）を全地球方位計測システム（ＧＰＳ）によって第二位置として検出するものである。その際、体調管理用携帯端末装置２０の現在の所在位置として、高度や深度を検出してもよい。その場合、気圧に基づいて高度を計測する高度計（後述する気象センサ２０ＷＳの気圧測定機能で代用可）や、水圧に基づいて深度を計測する深度計（後述する気象センサ２０ＷＳの水圧測定機能で代用可）を第二位置検出手段としてそなえる。体調管理用携帯端末装置２０におけるＧＰＳ位置検出部２０ＧＳは、上記第二位置要求に応じて位置検出を行なうだけでなく、所定周期で体調管理用携帯端末装置２０の現在の所在位置を検出し、後述するＣＰＵ２５に通知するようにも構成されている。
【０１０７】
送受信手段２５５による第二通知手段としての機能は、後述するごとくＣＰＵ２５によって実現される、サービス提供管理に係る機能で、ＧＰＳ位置検出部２０ＧＳによって検出された前記第二位置を、生体データ値に基づいて本人確認ができた場合に、前述した携帯電話装置１０の送受信手段１２と同様、管理サーバ６０（管理手段６２）に通知するもので、管理サーバ６０（管理手段６２）に通知する際にはネットワーク９０を介して送受信を行なう。また、送受信手段２５５は、管理サーバ６０（管理手段６２）からの各種要求や通知（第二位置要求，動作状態要求，エラー通知，警告など）を受信する機能も果たす。
【０１０８】
生体センサ２０ＢＳは、利用者の身体の一部（例えば腕）に接触・装着され、利用者の体調管理を行なうべくその利用者の生体データ値を検出するもので、生体データ値として、
指紋、掌紋、声紋、虹彩、眼底あるいは掌における血管、などのほか、体温，血圧，心拍数，呼吸数，脈波，心電，血中酸素飽和濃度，血中酸素濃度，筋組織酸素濃度のうちの少なくとも一つを所定周期で検出するものである。なお、以下の実施形態における具体例では、体温，血圧，心拍数，呼吸数を検出するものを具体例にして、説明を行う。
【０１０９】
この生体センサ２０ＢＳによって検出された所定周期毎の生体データ値は、後述するごとく、メモリ２０Ｍ（図２参照）に蓄積され、管理サーバ６０からの要求に応じて、中断前後の生体データ値としてメモリ２０Ｍから読み出され、上述した送受信手段２５５としての機能を用いネットワーク９０を介して管理サーバ６０に通知・送信されるようになっている。
【０１１０】
なお、この生体センサ２０ＢＳで検出された生体データ値は、体調管理用携帯端末装置２０内部のＣＰＵ２５でも、所定のしきい値と比較されて本人であることの確認（認証）に用いられる。
【０１１１】
なお、所定周期は、生体データ値が通常の値の範囲であれば、通常の所定の周期、例えば、５分毎、あるいは、１０分毎などに取得と比較とを行い、通常の値の範囲でなくなった場合には、通常の所定の周期より細かい周期、たとえば、１分毎などに取得と比較とを
行う。なお、この場合、通常の値の範囲から外れる程度に応じて、取得と比較とを細かく行うことが望ましい。また、これと並行して、体調管理用携帯端末装置２０の装着／取り外し／再装着の履歴も保存しておくようにする。そして、この生体データ値の変化具合や、体調管理用携帯端末装置２０の装着／取り外し／再装着の履歴とにより、後述するように、体調が正常である本人、体調が異常である本人、他人、の区別が可能になる。
【０１１２】
なお、指や掌などに連続装着可能な生体センサ２０ＢＳを用いることで、指紋や掌紋や血管などの生体情報を連続的に取得できる。また、生体センサ２０ＢＳとして咽頭マイクを喉に装着することで、声紋の生体データ値が一定時間取得され続ける。
【０１１３】
さらに、心拍数や呼吸数に関しては、陸上競技選手が用いるような胸部センサパッドを生体センサ２０ＢＳとして胸部に貼り付けて用いることで、生体情報を連続的に取得することが可能になる。この場合の胸部センサパッドは、粘着性の部材による貼付、弾性ベルトによる装着など、各種の装着が可能である。
【０１１４】
また、体調管理用携帯端末装置２０において、後述するＣＰＵ２５によって実現される制御手段２５６（図２参照）としての機能が、動作状態検出手段としての機能も果たしている。この動作状態検出手段は、生体センサ２０ＢＳが利用者から生体データ値の検出する動作を行なっているか否か、つまり、体調管理用携帯端末装置２０が利用者の身体に実際に装着されその利用者から生体データ値を検出している状態にあるか否かを、動作状態として検出するもので、後述するごとく管理サーバ６０（管理手段６２）からの動作状態要求に応じ、その動作状態の検出を行ない、その検出結果が、上述した送受信手段２５５としての機能を用いて、ネットワーク９０を介し管理サーバ６０に通知・送信されるように構成されている。
【０１１５】
また、ワンタイムパスワード処理手段２５８は、管理サーバ６０やで発生されたワンタイムパスワードを受信したり、あるいは、管理サーバ６０で発生されたワンタイムパスワードと同期してワンタイムパスワードを生成するものである。このようにして受信あるいは生成されたワンタイムパスワードは、後述するように表示手段２４に表示される。なお、ワンタイムパスワード処理手段２５８は、上述した生体データ値によって本人であることの確認がなされた場合に、このワンタイムパスワードを表示する。
【０１１６】
管理者端末３０は、管理センタ等にそなえられ、後述するような各種通知を行なうべき連絡先の一つとして体調管理用携帯端末装置２０に予め登録されるもので、体調管理用携帯端末装置２０を用いて利用者の体調を管理する管理者用の端末〔ＰＣ（パーソナルコンピュータ）等〕である。
【０１１７】
連絡先端末４０は、後述するような各種通知を行なうべき連絡先の一つとして体調管理用携帯端末装置２０に予め登録されるもので、例えば、利用者の、友人や、親族，配偶者などの近親者によって用いられる端末（ＰＣ等）である。
【０１１８】
主治医端末５０は、後述するような各種通知を行なうべき連絡先の一つとして体調管理用携帯端末装置２０に予め登録されるもので、利用者の主治医によって用いられる端末（ＰＣ等）である。
【０１１９】
管理サーバ６０は、携帯電話装置１０の利用者に対し提供される各種サービスを提供・管理するもので、制御手段６１，管理手段６２，認証手段６３，警告手段６４，統計値算出手段６５，統計値判断手段６６，ワンタイムパスワード生成手段６７およびワンタイムパスワード送信手段６８としての機能をそなえて構成されている。
【０１２０】
制御手段６１は、前述のごとく、携帯電話装置１０によってアクセス可能なサービス提供用サイトを運営し、そのサイトに携帯電話装置１０からネットワーク９０を通じてアクセスしてきた利用者に対し各種サービスを提供するものである。管理サーバ６０の制御手段６１によって携帯電話装置１０の利用者に提供されるサービスとしては、電子マネーのチャージサービス，電子定期の購入・更新サービス，電子チケットの購入・予約サービス，金融機関への振込・振替サービス，株取引サービスなど様々なものが挙げられる。
【０１２１】
管理手段６２は、情報端末装置としての携帯電話装置１０の動作状態を管理するもので、後述する認証手段６３，警告手段６４，統計値算出手段６５，統計値判断手段６６，ワンタイムパスワード生成手段６７およびワンタイムパスワード送信手段６８の機能を用いて、下記項目(31)〜(39)に示す管理機能を果たす。
【０１２２】
(31)利用者が携帯電話装置１０のアクセス手段１３によって管理サーバ６０に対するアクセスを行なった際に、携帯電話装置１０および体調管理用携帯端末装置２０に対しそれぞれ第一位置および第二位置を要求し、携帯電話装置１０の送受信手段１２によって通知された第一位置と体調管理用携帯端末装置２０の送受信手段２５５によって通知された第二位置との間の距離を算出し、算出された距離が所定範囲内（例えば１ｍ以内）であるか否かを判断し、所定範囲外である場合に管理手段６２は携帯電話装置１０に対して表示画面のロックを命令し、所定範囲内である場合に管理手段６２は携帯電話装置１０に対して表示画面のロック解除を命令する。
【０１２３】
ただし、本実施形態では、上記距離が所定範囲内であること加え、後述する認証手段６３によりサービスの利用者が本人であることが認証された旨の本人認証結果が認証手段６３から通知され、且つ、動作状態要求に応じて体調管理用携帯端末装置２０から通知された動作状態が検出動作中（体調管理用携帯端末装置２０が利用者の身体に装着された状態）である場合、管理手段６２は、情報端末装置の表示画面のロックを解除する。
【０１２４】
(32)管理手段６２（後述する認証情報６３）からの認証情報要求に応じた利用者による認証情報の入力・送信が行なわれなかった場合、管理手段６２は、携帯電話装置１０（利用者）に対し、その旨を通知するためのエラー通知を行ない、携帯電話装置１０の表示画面ロックを命令する。
【０１２５】
(33)上記項目(31)で認証手段６３による本人認証の結果、利用者が本人ではないと判断された場合、管理手段６２は、携帯電話装置１０（利用者）やシステム管理者に対し、その旨を通知するためのエラー通知を行ない、携帯電話装置１０の表示画面ロックを命令する。
【０１２６】
(34)上記項目(31)で第一位置，第二位置および動作状態の要求に対し、いずれか一つでも応答がない場合、管理手段６２は、携帯電話装置１０および体調管理用携帯端末装置２０の少なくとも一方に異状が生じている状態であると判断し、後述する警告手段６４による警告動作を実行するとともに、携帯電話装置１０／体調管理用携帯端末装置２０やシステム管理者に対しその旨を通知するためのエラー通知を行ない、携帯電話装置１０の表示画面ロックを命令する。
【０１２７】
(35)上記項目(31)で動作状態要求に応じて体調管理用携帯端末装置２０から通知された動作状態が検出動作中でない場合、つまり上記動作状態検出手段によって生体センサ２０ＢＳが検出動作を行なっていないことが検出された場合（もしくは体調管理用携帯端末装置２０が利用者の身体に装着されていない場合）、管理手段６２は、携帯電話装置１０／体調管理用携帯端末装置２０やシステム管理者に対し、その旨を通知するためのエラー通知を行ない、携帯電話装置１０の表示画面ロックを命令する。また、管理手段６２は、管
理サーバ６０において、当該利用者の体調管理用携帯端末装置２０における生体データ値の検出動作が中断状態になっていることを、当該利用者（識別情報等）に対応付けて登録・保存する。
【０１２８】
(36)上記項目(31)で算出された距離が上記所定範囲外である場合、管理手段６２は、携帯電話装置１０と体調管理用携帯端末装置２０とが異なる場所に存在し携帯電話装置１０が体調管理用携帯端末装置２０を装着した人とは異なる人によって利用されている可能性が高いと判断し、後述する警告手段６４による警告動作を実行するとともに、携帯電話装置１０／体調管理用携帯端末装置２０やシステム管理者に対しその旨を通知するためのエラー通知を行ない、携帯電話装置１０の表示画面ロックを命令する。
【０１２９】
(37)携帯電話装置１０と体調管理用携帯端末装置２０との距離が所定範囲内にあるか否かの位置チェックを定期的に行なう機能（図７参照しながら後述する機能）。所定周期毎に、携帯電話装置１０および体調管理用携帯端末装置２０に対しそれぞれ第一位置および第二位置を要求し、携帯電話装置１０の送受信手段１２によって通知された第一位置と体調管理用携帯端末装置２０の送受信手段２５５によって通知された第二位置との間の距離を算出し、算出された距離が所定範囲内（例えば１ｍ以内）であるか否かを判断し、所定時間以上（例えば３０分以上）に亘って所定範囲外である場合、管理手段６２は、携帯電話装置１０の置き忘れ，盗難等により携帯電話装置１０と体調管理用携帯端末装置２０とが異なる場所に存在していると判断し、後述する警告手段６４による警告動作を実行し、携帯電話装置１０の表示画面ロックを命令する。
【０１３０】
(38)体調管理用携帯端末装置２０において生体センサ２０ＢＳによる生体データ検出動作が行なわれているか否かの検出動作チェックを定期的に行なう機能（図８参照しながら後述する機能）。所定周期毎に、体調管理用携帯端末装置（検出動作チェックの対象装置）２０に対し動作状態を要求し、対象装置２０から通知された動作状態が検出動作中（対象装置２０が利用者の身体に装着された状態）であるか否かを判断する。
【０１３１】
(38-1)検出動作中でない場合、管理手段６２は、上記項目(35)と同様、携帯電話装置１０／対象装置２０やシステム管理者に対し、その旨を通知するためのエラー通知を行ない、携帯電話装置１０の表示画面ロックを命令する。
【０１３２】
(38-2)検出動作中である場合、管理手段６２は、対象装置２０について中断状態の登録を検索し、中断状態から検出動作中になった対象装置２０については検出動作を再開したものと判断し、後述するごとく対象装置２０に対し中断前後に蓄積された所定期間（例えば１時間）に亘る生体データ値（例えば体温，血圧，心拍数，呼吸数）を要求する。そして、後述する統計値算出手段６５により、対象装置２０から得られた中断前後の生体データ値について中断前統計値および再開後統計値（例えば平均値）を算出し、後述する統計値判断手段６６により、算出された中断前統計値と再開後統計値とを比較し、これらの統計値の差が所定範囲内であるか否かでこれらの統計値が同一利用者の生体データ値の統計値であるか否かを判断する。なお、再開後（中断後）の生体データ値が前記所定期間に亘る分だけ検出されていない場合は、その所定期間に亘る生体データ値が検出・蓄積された時点で再開後統計値の算出を行なうことになる。
【０１３３】
(38-3)同一利用者であると判断された場合（上記差が所定範囲内である場合）、管理手段６２は、上記項目(31)や(37)と同様の位置チェックを行ない携帯電話装置１０と対象装置２０との距離が所定範囲内であれば、携帯電話装置１０の表示画面ロックを解除する。一方、同一利用者ではないと判断された場合（上記差が所定範囲外である場合；つまり、対象装置２０を身体に装着した利用者が、生体データ値の検出動作中断前後で異なる人物である可能性が高いと判断された場合）、管理手段６２は、後述する警告手段６４によ
る警告動作を実行するとともに、携帯電話装置１０／体調管理用携帯端末装置２０やシステム管理者に対しその旨を通知するためのエラー通知を行ない、情報端末装置の表示画面をロックする状態を維持する。
【０１３４】
(39)管理手段６２や認証情報６３からの認証情報要求に応じて、ワンタイムパスワード生成手段６７が生成したワンタイムパスワードと、携帯電話装置１０から入力されたワンタイムパスワードとを比較して、ワンタイムパスワードが一致しなかった場合、あるいは、一定時間内にワンタイムパスワードの返信が無かった場合、管理手段６２は、携帯電話装置１０（利用者）に対し、その旨を通知するためのエラー通知を行ない、携帯電話装置１０の表示画面ロックを命令する。
【０１３５】
認証手段６３は、携帯電話装置１０の利用者が各種の利用を行う際にその利用者によって入力される当該利用者についての認証情報に基づいて当該利用者の本人認証を行ない、その本人認証結果を管理手段６２に通知するものである。ここでは、認証情報としては、例えば、パスワード（パスフレーズ）、もしくは、指紋，虹彩，掌静脈パターン，顔などの生体情報などが挙げられる。携帯電話装置１０から管理サーバ６０にアクセスした場合、管理サーバ６０側では、その携帯電話装置１０の電話番号を認識することができるので、各利用者について、電話番号とその利用者の登録認証情報とを対応付けてデータベースとして保存しておく。そして、認証手段６３は、上記データベースから電話番号に対応付けられた登録認証情報を読み出し、その登録認証情報と、アクセス時に利用者によって入力された認証情報とを比較することにより当該利用者の本人認証を行なうように構成されている。
【０１３６】
また、認証手段６３は、携帯電話装置１０の利用者が各種サービスの提供を受ける際、表示画面ロックを解除する際に、上述した認証のほかに、ワンタイムパスワードによる認証を行うものである。
【０１３７】
警告手段６４は、上記項目(34),(36)〜(39)に記載したように、管理手段６２からの要
求に対し携帯電話装置１０や体調管理用携帯端末装置２０から応答がない場合や、携帯電話装置１０と体調管理用携帯端末装置２０との距離が所定範囲外である場合や、生体データ値の検出動作中断前後で利用者が異なる場合や、ワンタイムパスワードの一致が所定時間内に得られない場合、システム管理者もしくは利用者に対し警告通知を行なうものである。その警告通知は、管理サーバ６０においては、この管理サーバ６０のディスプレイ上での表示によって行なわれ、携帯電話装置１０や体調管理用携帯端末装置２０においてはブザー等を鳴動させたりＬＥＤランプ等を点滅させたりすることによって行なわれる。なお、上記警告通知に際して、体調管理用携帯端末装置２０では、後述する警告手段２５４が用いられる。また、上記警告通知は、上述したエラー通知と兼ねてもよい。
【０１３８】
統計値算出手段６５は、生体データ値の検出動作の中断前に生体センサ２０ＢＳによって検出された生体データ値（後述するメモリ２０Ｍに蓄積されたデータ）の平均値を中断前統計値として算出するとともに、生体データ値の検出動作の再開後に生体センサ２０ＢＳによって検出された生体データ値（後述するメモリ２０Ｍに蓄積されたデータ）の平均値を再開後統計値として算出するものである。
【０１３９】
統計値判断手段６６は、統計値算出手段６５によって算出された中断前統計値と再開後統計値とを比較し、これらの統計値の差が所定範囲内であるか否かでこれらの統計値が同一利用者の生体データ値の統計値であるか否かを判断するものである。
【０１４０】
なお、上述のごとく、本実施形態の端末装置管理システム１では、生体データ値の検出動作の中断によって表示画面がロックされた場合には、上記項目(38)で説明した機能によ
り、生体データ値の検出動作の再開時における同一利用者判断によってその携帯電話装置１０の表示画面ロック状態が解除されるようになっているが、それ以外の事由によって表示画面がロックされた場合には、その禁止状態を解除するためには、携帯電話装置１０の利用者が管理サーバ６０に対して所定の手続きを行なうことが必要になる。
【０１４１】
体調管理サーバ８０は、契約者（体調管理サーバ８０のサービスを受けるべく予め契約・登録を行なっている者）に対し、図１４および図１５を参照しながら後述するようなサービスを提供するためのもので、この体調管理サーバ８０は、各体調管理用携帯端末装置２０から定期的に受信した生体データ，気象データおよび位置データを蓄積し、生体データ，気象データおよび位置データを検出時刻に対応付けながらグラフ加工や地図生成を行なって得られたグラフや地図を保存する機能を有するほか、契約者に対し、蓄積されたデータやグラフ／地図の閲覧サービス（公開サービス）を提供する機能も有しており、サービス提供を望む契約者の認証を行なって、本人認証がなされた契約者に対し上記閲覧サービスの提供を行なうように構成されている。
【０１４２】
なお、契約者は、上記利用者と同一人物である場合もあるし、上記利用者と異なる人物（例えば、管理者や、上記利用者の友人／近親者／主治医等）である場合もある。
また、端末３０，４０，５０は、いずれも、電話回線による通話・通信機能や電子メールの送受信機能を有しており、体調管理用携帯端末装置２０からの通知（後述する送受信手段２５５による通知）を受けることが可能に構成されている。
【０１４３】
ネットワーク９０は、上述した携帯電話装置１０，体調管理用携帯端末装置２０，端末３０，４０，５０，管理サーバ６０および体調管理サーバ８０の相互を通信可能に接続するもので、ここではイントラネット，インターネット，公衆電話回線，無線ＬＡＮ（Local Area Network）など各種通信方式のネットワークを含んでいるものとし、少なくとも携帯電話装置１０，体調管理用携帯端末装置２０，端末３０，４０，５０の相互間では、電話回線による通話・通信を行なうことも可能であり、電子メールの送受信を行なうことも可能になっている。
【０１４４】
ついで、上述した情報端末装置管理システム１で用いられる体調管理用携帯端末装置２０の構成について、図２を参照しながら説明する。図２は本実施形態の情報端末装置管理システム１における体調管理用携帯端末装置２０の構成を示すブロック図で、この図２に示すように、本実施形態の体調管理用携帯端末装置２０は、上述した通り、利用者によって携帯電話装置１０とともに常時所持・携帯されるものであって、上述した生体センサ２０ＢＳおよびＧＰＳ位置検出部２０ＧＳのほかに、気象センサ２０ＷＳ，閾値テーブル２０Ｔ，ＣＰＵ２５，停止操作部２６，回答入力部２７およびメモリ２０Ｍをそなえて構成されている。
【０１４５】
気象センサ２０ＷＳは、利用者の所在雰囲気中（利用者が所在している場所）の気象データとして、気温，水温，湿度，気圧，水圧，日照状況，紫外線量，のうちの少なくとも一つを所定周期で検出する超小型のものであるが、本実施形態では、気温（または水温），湿度，気圧（または水圧）を検出するものとする。
【０１４６】
なお、生体センサ２０ＢＳ，気象センサ２０ＷＳおよびＧＰＳ位置検出部２０ＧＳは、本携帯端末装置２０の本体に内蔵もしくは外付けされ、ケーブル等を介して有線接続、もしくは無線接続され、図１０〜図１２を参照しながら後述するごとく、所定周期で検出された結果を本携帯端末装置２０の本体に送信するようになっている。
【０１４７】
閾値テーブル２０Ｔは、利用者の体調を管理するための生体データ閾値を、気象条件毎に予め設定されて保持するもので、後述するＣＰＵ２５の閾値設定手段２５１としての機
能によって作成・設定されるもので、本携帯端末装置２０を構成する例えばＲＡＭ（Random Access Memory），ＲＯＭ（Read Only Memory），ハードディスク等の記憶部に保存・格納されている。
【０１４８】
このとき、生体データ閾値は、利用者毎に異なるほか、生活環境によっても異なるもので、利用者毎に、環境に応じた気象条件に従って設定される。利用者の平常時の体温Ｔ０，血圧Ｐ０，心拍数Ｎ０を基準にして、例えば、利用者が高温多湿環境下に居る場合には、気象条件が気温２５〜３０℃かつ湿度８０％以上である時（気象条件１）の生体データ閾値として体温Ｔ１，血圧Ｐ１，心拍数Ｎ１を設定し、気象条件が気温３０〜３５℃かつ湿度６０％以上である時（気象条件２）の生体データ閾値として体温Ｔ２，血圧Ｐ２，心拍数Ｎ２を設定し、気象条件が気温３５℃以上かつ湿度５０％以上である時の生体データ閾値として体温Ｔ３，血圧Ｐ３，心拍数Ｎ３を設定しておく。そして、気象条件１である時（気象条件３）には利用者の実際の体温Ｔ，血圧Ｐ，心拍数Ｎのいずれか一つもしくは全てが閾値Ｔ１，Ｐ１，Ｎ１を超えた場合、また、気象条件２である時には利用者の実際の体温Ｔ，血圧Ｐ，心拍数Ｎのいずれか一つもしくは全てが閾値Ｔ２，Ｐ２，Ｎ２を超えた場合、さらに、気象条件３である時には利用者の実際の体温Ｔ，血圧Ｐ，心拍数Ｎのいずれか一つもしくは全てが閾値Ｔ３，Ｐ３，Ｎ３を超えた場合、利用者の体調が異状（熱中症等）であると判断する。
【０１４９】
また、利用者が低温環境下に居る場合には、気象条件が気温０〜１０℃である時（気象条件４）の生体データ閾値として体温Ｔ４を設定し、気象条件が気温−１０〜０℃である時（気象条件５）の生体データ閾値として体温Ｔ５を設定し、気象条件が気温−１０℃以下である時（気象条件６）の生体データ閾値として体温Ｔ６を設定しておく。そして、気象条件４である時には利用者の実際の体温Ｔが閾値Ｔ４を下回った場合、また、気象条件５である時には利用者の実際の体温Ｔが閾値Ｔ５を下回った場合、さらに、気象条件６である時には利用者の実際の体温Ｔが閾値Ｔ６を下回った場合、利用者の体調が異状（低体温症等）であると判断する。
【０１５０】
さらに、利用者が高高度（低気圧）環境下に居る場合には、気象条件が気圧Ａ２〜Ａ１である時（気象条件７）の生体データ閾値として心拍数Ｎ７，呼吸数Ｋ７を設定し、気象条件が気圧Ａ３〜Ａ２である時（気象条件８）の生体データ閾値として心拍数Ｎ８，呼吸数Ｋ８を設定し、気象条件が気温３５℃以上かつ湿度５０％以上である時（気象条件９）の生体データ閾値として心拍数Ｎ９，呼吸数Ｎ９を設定しておく。そして、気象条件７である時には利用者の実際の心拍数Ｎ，呼吸数Ｋのいずれか一方もしくは両方が閾値Ｎ７，Ｋ７を超えた場合、また、気象条件８である時には利用者の実際の心拍数Ｎ，呼吸数Ｋのいずれか一方もしくは両方が閾値Ｎ８，Ｋ８を超えた場合、さらに、気象条件９である時には利用者の実際の心拍数Ｎ，呼吸数Ｋのいずれか一方もしくは両方が閾値Ｎ９，Ｋ９を超えた場合、利用者の体調が異状（高山病等）であると判断する。
【０１５１】
また、利用者が海水浴，入浴等で水につかっている場合には、気象条件が水圧Ｗ１〜Ｗ２かつ水温がＬ２〜Ｌ１である時（気象条件１０）の生体データ閾値として体温Ｔ１０，心拍数Ｎ１０を設定し、気象条件が水圧Ｗ２〜Ｗ３かつ水温がＬ３〜Ｌ２である時（気象条件１１）の生体データ閾値として体温Ｔ１１，心拍数Ｎ１１を設定し、気象条件が水圧Ｗ３以上かつ水温がＬ３以下である時（気象条件１２）の生体データ閾値として体温Ｔ１２，心拍数Ｎ１２を設定しておく。そして、気象条件１０である時には利用者の実際の体温Ｔ，心拍数Ｎのいずれか一方もしくは両方が閾値Ｔ１０，Ｎ１０を下回った場合、また、気象条件１１である時には利用者の実際の体温Ｔ，心拍数Ｎのいずれか一方もしくは両方が閾値Ｔ１１，Ｎ１１を下回った場合、さらに、気象条件１２である時には利用者の実際の体温Ｔ，心拍数Ｎのいずれか一方もしくは両方が閾値Ｔ１２，Ｎ１２を下回った場合、利用者の体調が異状であると判断する。
【０１５２】
また、体調管理用携帯端末装置２０の装着や取り外しの有無、上述した生体データしきい値との比較によって、以下の(a)〜(i)のように、利用者本人であるか否かの識別が可能になる。
(a)装置装着のまま、生体データ値に変化なし（同じしきい値範囲内）：本人，
(b)装置装着のまま、生体データ値ゆっくり変化：本人，
(c)装置装着のまま、生体データ値ゆっくり変化し元に戻る：本人，
(d)装置装着のまま、生体データ値急変：本人（体調異状），
(e)装置装着のまま、生体データ値急変し戻る：本人（体調異状後回復），
(f)装置取り外し後に再装着し、生体データ値に変化なし：本人，
(g)装置取り外し後に再装着し、生体データ値変化した後、ゆっくり戻る：本人，
(h)装置取り外し後に再装着し、生体データ値変化した後、違う値に戻る：第三者，
(i)装置取り外し後に再装着し、生体データ値変化したまま：第三者，
なお、以上の場合で、生体データ値が変化していて、本人か第三者かの区別が付きにくい状態では、本人とは認められない保留状態としておいて、生体データ値の取得と比較とを続行し、生体データ値が戻れば本人、戻らなければ他人というように、時間をかけて比較と識別とを行うようにしてもよい。
【０１５３】
なお、ここに示した(a)〜(i)は利用者本人か否かの識別にかかる基本的な識別処理の一例であって、各種の変形を加えることが可能である。
また、比較に用いる生体データ値の数や条件について、アンド条件（複数の全ての生体データ値が合致して本人と識別する）に用いる生体データ値を多くすれば、厳しい条件で本人の識別が可能になる。すなわち、他人を本人としてご認識する率は低下するものの、場合によっては、本人であっても本人と認識されない可能性が生じる。一方、アンド条件に用いる生体データ値を減らしたり、複数の生体データ値でオア条件（いずれかが合致すれば本人とする）とすれば、緩い条件での識別になり、本人の識別が容易になる反面、他人をも本人と識別してしまう可能性も生じる。
【０１５４】
また、以上の本人の体調の場合に、本人であると識別するか、あるいは、本人とは認められないと識別するか、いずれにするかは、設定により定めることが可能である。
これにより、利用者本人と第三者との区別が可能になる。また、利用者本人の場合でも、体調変化、運動や入浴時などに取り外した場合の変化や戻り具合などを、第三者が装着した場合と区別することが可能になる。
【０１５５】
また、指紋や掌紋や血管あるいは虹彩などを用いた生体認証では、認証のために生体情報を読み込ませる作業が面倒であったり、スキャンする装置が大がかりになったりして、面倒であるという問題が存在していたが、この実施形態では利用者が身につけている状態で生体データ値が一定時間取得され続けるので、従来のような問題も解消される。
【０１５６】
但し、指や掌などに連続装着可能なセンサを用いることで、指紋や掌紋や血管などの生体情報を連続的に取得でき、生体データ値が一定時間取得され続けるので、従来のような問題も解消される。
【０１５７】
ＣＰＵ（Central Processing Unit）２５は、所定のアプリケーションプログラムを実
行することにより、後述する閾値設定手段２５１，閾値読出手段２５２，比較手段２５３，警告手段２５４，送受信手段２５５，制御手段２５６および問合せ手段２５７として機能するものである。
【０１５８】
停止操作部２６は、後述する警告手段２５４によって実行される警告動作（鳴動動作や点滅動作等）を、利用者の意識的な操作によって停止させるためのもので、実際には、本
携帯端末装置２０における操作スイッチ、表示画面（ディスプレイ）上のタッチパネルなどによって構成される。
【０１５９】
回答入力部２７は、後述する問合せ手段２５７による問い合せに応じて、利用者が、後述する送受信手段２５５による通知を実行するか否かを回答するためのもので、実際には、本携帯端末装置２０における操作スイッチや、表示画面（ディスプレイ）上のタッチパネルなどによって構成される。
【０１６０】
メモリ２０Ｍは、不揮発性のＲＡＭ等の記憶部で、生体センサ２０ＢＳによって所定周期で検出された生体データ値を蓄積・保存するものであり、後述する送受信手段２５５が、上記項目(38-2)にて上述した管理サーバ６０の管理手段６２からの要求を受けると、生体センサ２０ＢＳの検出動作中断前後における、所定期間（例えば１時間）に亘る生体データ値をメモリ２０Ｍから読み出して管理サーバ６０の管理手段６２に送信・通知するように構成されている。
【０１６１】
そして、閾値設定手段２５１は、上述した閾値テーブル２０Ｔを利用者毎に且つ生活環境に応じた気象条件毎に作成・設定するもので、利用者の平常時の体温Ｔ０，血圧Ｐ０，心拍数Ｎ０を基準として、上述のごとき気象条件と所定の生体データ閾値との対を入力設定するためのもので、利用者，管理者，監視者等が手動操作で入力するように構成されていてもよいし、利用者の平常時の体温Ｔ０，血圧Ｐ０，心拍数Ｎ０と競技環境／作業環境とを指定入力することにより、自動的に入力するように構成されていてもよい。
【０１６２】
閾値読出手段２５２は、気象センサ２０ＷＳによって検出された気象データ（気温／水温，湿度，気圧／水圧）に対応する気象条件について設定された生体データ閾値を閾値テーブル２０Ｔから検索して読み出すものである。
【０１６３】
比較手段２５３は、閾値読出手段２５２によって読出された生体データ閾値と生体センサ２０ＢＳによって検出された生体データ値（体温，血圧，心拍数，呼吸数）とを比較し、上述したような基準に従って利用者の体調異状を判断・検知するものである。また、利用者の体調異状に加え、上述した(a)〜(i)のようにして、利用者本人か否かの判断をするものである。
【０１６４】
警告手段（体調異状警告手段）２５４は、後述の制御手段２５６によって動作を制御され、比較手段２５３による比較の結果、利用者の体調異状を検知した場合や、上述した警告手段６４，７４から警告通知を送受信手段２５５で受けた場合に、利用者に対して警告を発するものであり、本実施形態では、例えば、本携帯端末装置２０におけるブザー等を鳴動させたりＬＥＤランプ等を点滅させたりする。このような警告動作（鳴動動作や点滅動作）は、上述した通り、利用者が停止操作部２６を操作することにより、後述の制御手段２５６を介して停止される。なお、携帯端末装置２０の本体として、後述するごとく携帯電話装置を用いる場合には、警告手段２５４により、鳴動動作として、携帯電話装置に呼び出し動作を実行させてもよい。
【０１６５】
送受信手段２５５は、上述した通り、第二通知手段としての機能（第二位置を管理サーバ６０に通知する機能）や、動作状態を管理サーバ６０に通知する機能や、メモリ２０Ｍの生体データ値を管理サーバ６０に通知する機能を果たすほか、後述の制御手段２５６によって動作を制御され、比較手段２５３による比較の結果、利用者の体調異状を検知した場合、その旨を所定の連絡先に通知する体調異状通知手段としての機能を果たすもので、利用者の体調異状を通知する際には、生体センサ２０ＢＳによって検出されている生体データ値，気象センサ２０ＷＳによって検出されている気象データ，およびＧＰＳ位置検出部２０ＧＳによって検出された利用者の所在位置も併せて通知する。その際、送受信手段
２５５は、予め登録されている電話番号に自動発呼することにより利用者の体調異状の通知を行なってもよいし、予め登録されているメールアドレスに対し電子メールを自動送信することにより利用者の体調異状の通知を行なってもよい。
【０１６６】
なお、所定の連絡先については、制御手段２５６によって切り換えられるもので、詳細については後述する。また、送受信手段２５５は、生体センサ２０ＢＳによって検出されている生体データ値，気象センサ２０ＷＳによって検出されている気象データ，およびＧＰＳ位置検出部２０ＧＳによって検出された利用者の所在位置を、上述した体調管理サーバ８０に対し、所定周期で送信する機能を果たすものとする。また、送受信手段２５５は、外部（ネットワーク９０）との間でデータの送受信を行なうものであって、後述するような通知機能（送信機能）だけでなく外部からの通知等の情報（例えば管理サーバ６０からの要求，エラー通知，警告通知など）を受信する機能も有している。
【０１６７】
制御手段２５６は、上述した動作状態検出手段としての機能を果たすほか、下記項目(51)〜(54)のごとく、送受信手段２５５の通知動作および警告手段２５４の警告動作を制御するものである。ここで、問合せ手段２５７は、やはり制御手段２５６によって動作を制御され、警告手段２５４の警告動作を停止させる操作が所定時間内に実行された場合、送受信手段２５５による体調異状の通知動作を実行するか否かについて利用者に問い合せるもので、実際には、本携帯端末装置２０におけるディスプレイ上に表示を行ない、利用者がタッチパネルや操作スイッチ（回答入力部２７）を操作して入力する回答を、制御手段２５６によって受信するように構成されている。
【０１６８】
(51)比較手段２５３による比較の結果、利用者の体調異状を検知した場合、警告手段２５４を介して利用者に対する警告動作を実行させる。
(52)警告手段２５４の警告動作を停止させる操作（停止操作部２６の操作）が警告動作を開始してから所定時間以上経過しても実行されない場合、送受信手段２５５による体調異状の通知を実行させる。この場合、例えば消防等に通知を行なうことで、救急車等の緊急車両の手配を直ちに行なう。
【０１６９】
(53)問合せ手段２５７による問合せに対し送受信手段２５５による体調異状の通知動作を実行する旨の回答を利用者が行なった場合、送受信手段２５５による体調異状の通知動作を実行させる。この場合、例えば、予め登録されている主治医の電話（例えば主治医端末５０）に対する自動発呼を行なうことにより、利用者が、主治医に適切な処置の指示を仰ぐことができるようにする。
【０１７０】
(54)利用者が問合せ手段２５７による問合せに対し所定回数連続して送受信手段２５５による体調異状の通知動作の実行を拒否した場合、送受信手段２５５による体調異状の通知動作を強制的に実行させる。この場合、例えば友人や近親者（例えば連絡先端末４０）に対する通知を行なう。
【０１７１】
ワンタイムパスワード処理手段２５８は、管理サーバ６０で発生されたワンタイムパスワードを受信したり、あるいは、管理サーバ６０で発生されたワンタイムパスワードと同期してワンタイムパスワードを生成するものである。このようにして受信あるいは生成されたワンタイムパスワードは、、上述したように生体データ値によって利用者本人であると確認された場合に、後述するように表示手段２４に表示される。
【０１７２】
〔２〕本実施形態の情報端末装置管理システムの動作：
次に、図３〜図１６に示す説明図やフローチャートを参照しながら、本実施形態の動作について説明する。
【０１７３】
〔２−１〕管理サーバの管理動作：
本実施形態の情報端末装置管理システム１における携帯電話装置１０と生体データ検出端末装置２０との関係は、図３（ａ）のような状態になっている。すなわち、利用者が生体データ検出端末装置２０を身につけた状態で携帯電話装置１０を利用している状態では、表示画面がロックされず、通常の使用が可能となる。
【０１７４】
なお、情報端末装置が携帯電話装置１０でなく、コンピュータである場合には、図３（ｂ）のような状態である。この場合も、利用者が生体データ検出端末装置２０を身につけた状態で情報端末装置としてのコンピュータを利用している状態では、表示画面がロックされず、通常の使用が可能となる。
【０１７５】
また、図示されていないが、咽頭マイクを利用者の喉付近に装着することや、胸部センサパッドを利用者の胸部に貼付あるいは弾性ベルトにより装着することでも、生体情報を連続的に取得することが可能である。
【０１７６】
本実施形態の情報端末装置管理システム１における管理サーバ６０の動作について、図４、図５、図６に示すフローチャートに従って説明する。
管理サーバ６０により、同一の利用者によって所持・携帯されているべきである２つの装置、即ち、携帯電話装置１０および体調管理用携帯端末装置２０に対し、それぞれ第一位置および第二位置が要求されるとともに、体調管理用携帯端末装置２０に対し生体センサ２０ＢＳの動作状態が要求される（ステップＳ５１）。
【０１７７】
このとき、同一の利用者によって所持・携帯されているべきである携帯電話装置１０および体調管理用携帯端末装置２０の組み合わせに関する情報は、携帯電話装置１０の電話番号に対応付けられて、予めデータベース等に保持されているものとし、管理手段６２は、そのデータベース等を、携帯電話装置１０の電話番号をキーにして検索を行なうことにより、そのＩＤ情報に対応した２つの装置（携帯電話装置１０および体調管理用携帯端末装置２０）に関する情報（要求先情報）を獲得することができるようになっている。
【０１７８】
なお、体調管理用携帯端末装置２０は、生体センサ２１０ＢＳにより検出された利用者の生体データ値により、該利用者本人であることを確認したうえで、該第二位置検出手段（ＧＰＳ位置検出部２０ＧＳ）によって検出された第二位置を管理サーバ６０に通知する。
【０１７９】
ここで、第一位置，第二位置および動作状態の要求に対しいずれか一つでも応答がない場合（ステップＳ５２のＮＯルート）、管理手段６２の上記項目(34)の機能により、携帯電話装置１０および体調管理用携帯端末装置２０の少なくとも一方に何らかの異状が生じている状態であると判断され、警告手段６４によって、システム管理者や利用者（携帯電話装置１０および体調管理用携帯端末装置２０）に対する警告通知が行なわれ（ステップＳ５３）、さらに、システム管理者に対し応答なしのエラー通知が行なわれるとともに、携帯電話装置１０／体調管理用携帯端末装置２０に対し応答なしのエラー通知が行なわれ（ステップＳ５４）、管理サーバの命令により携帯電話装置１０の表示画面がロックされ（ステップＳ５５）、ステップＳ５１の処理に戻る。
【０１８０】
ステップＳ５１の要求に対し、第一位置，第二位置および動作状態の回答・通知があった場合（ステップＳ５２のＹＥＳルート）、まず、体調管理用携帯端末装置２０から通知された動作状態が検出動作中であるか否かを判断する。
【０１８１】
その動作状態が動作中でない場合つまり生体センサ２０ＢＳが検出動作を行なっていないことが検出された場合（もしくは体調管理用携帯端末装置２０が利用者の身体に装着さ
れていない場合；ステップＳ５６のＮＯルート）、管理手段６２の上記項目(35)の機能により、システム管理者に対し、生体センサ２０ＢＳが動作していない旨のエラー通知が行なわれるとともに、携帯電話装置１０／体調管理用携帯端末装置２０に対し、生体センサ２０ＢＳが動作していない旨の通知が行なわれ（ステップＳ５７）、管理サーバの命令により携帯電話装置１０の表示画面がロックされ（ステップＳ５８）、さらに、当該利用者の体調管理用携帯端末装置２０における生体データ値の検出動作が中断状態になっていることが、当該利用者（電話番号，識別情報等）に対応付けて登録・保存されてから（ステップＳ５９）、ステップＳ５１の処理に戻る。
【０１８２】
体調管理用携帯端末装置２０から通知された動作状態が検出動作中である場合（ステップＳ５６のＹＥＳルート）、管理手段６２の上記項目(31)の機能により、携帯電話装置１０の送受信手段１２によって通知された第一位置と体調管理用携帯端末装置２０の送受信手段２５５によって通知された第二位置との間の距離が算出され（ステップＳ６０）、算出された距離が所定範囲内であるか否かが判断される（ステップＳ６１）。
【０１８３】
その距離が所定範囲外である場合（ステップＳ６１のＮＯルート）、管理手段６２の上記項目(36)の機能により、携帯電話装置１０と体調管理用携帯端末装置２０とが異なる場所に存在し携帯電話装置１０が体調管理用携帯端末装置２０を装着した人とは異なる人によって利用されている可能性が高いと判断され、警告手段６４によって、システム管理者や利用者（携帯電話装置１０および体調管理用携帯端末装置２０）に対する警告通知が行なわれ（ステップＳ６２）、さらに、システム管理者に対しエラー通知が行なわれるとともに、携帯電話装置１０／体調管理用携帯端末装置２０に対しエラー通知が行なわれ（ステップＳ６３）、管理サーバの命令により携帯電話装置１０の表示画面がロックされ（ステップＳ６４）、ステップＳ５１の処理に戻る。
【０１８４】
ステップＳ６０で算出された距離が所定範囲内である場合（ステップＳ６１のＹＥＳルート）、管理手段６２の上記項目(31)の機能により、携帯電話装置１０の表示画面はロックされず（ステップＳ６５）、利用者が望む所定の利用が利用者（携帯電話装置１０）により行なわれた後、ステップＳ５１の処理に戻る。
【０１８５】
また、ここでの表示画面ロック解除の際の認証として、ＩＤやパスワードなどによる通常の本人認証のほかに、ワンタイムパスワードによる認証を行う。このワンタイムパスワードによる認証を、図４を参照して説明する。
【０１８６】
まず、表示画面ロック状態の携帯電話装置１０に対して利用者のアクセスなどをトリガとして、管理サーバ６０の管理手段６２が認証要求を発生すると（図４中のステップＳ４６１）、ワンタイムパスワード生成手段６７がワンタイムパスワードを発生する（図４中のステップＳ４６２）。そして、ワンタイムパスワード送信手段６８が、このワンタイムパスワードを体調管理用携帯端末装置２０に対して送信する（図４中のステップＳ４６３）。
【０１８７】
そして、体調管理用携帯端末装置２０では生体データ値により本人確認を実行しており（図４中のステップＳ４２１）、この管理サーバ６０からのワンタイムパスワードを受信（図４中のステップＳ４２２）した体調管理用携帯端末装置２０では、生体データ値により本人確認ができていればワンタイムパスワードを表示手段２４に表示する（図４中のステップＳ４２３）。
【０１８８】
なお、(a)〜(i)で説明したように、利用者本人と第三者との区別が可能になっており、利用者本人に対してだけワンタイムパスワードを発行することが可能になる。また、生体認証によって本人確認された場合にワンタイムパスワードを表示するようにしているため
、ワンタイムパスワード発生装置を紛失したとしても、ワンタイムパスワードが第三者に使われてしまうことはなくなる。
【０１８９】
一方、管理サーバ６０の認証要求の通知を受けた携帯電話装置１０では、表示手段１５に認証情報の要求を表示する（図４中のステップＳ４１１）。この表示を見た利用者は、体調管理用携帯端末装置２０の表示手段２４に表示されているワンタイムパスワードを、携帯電話装置１０の入力手段１４に入力する（図４中のステップＳ４１２）。このようにして携帯電話装置１０に入力されたワンタイムパスワードは、送受信手段１２を経由して、管理サーバ６０に対して送信される（図４中のステップＳ４１３）。
【０１９０】
管理サーバ６０側では、携帯電話装置１０から返信（図４中のステップＳ４６４）されたワンタイムパスワードと、ワンタイムパスワード生成手段６７で生成したワンタイムパスワードとを認証手段６３で比較して認証を行う（図４中のステップＳ４６５）。
【０１９１】
ここで、所定時間経過してもワンタイムパスワードが携帯電話装置１０から返信されない場合や、生成したワンタイムパスワードと返信されたワンタイムパスワードとが一致しない場合、エラーとして処理し、携帯電話装置１０に対してエラー通知を行い、情報端末装置の表示画面をロック状態を継続する（図４中のステップＳ４６６、Ｓ４１４）。
【０１９２】
また、ワンタイムパスワードによる認証について、図５のような手法を用いることも可能である。
まず、管理サーバ６０の管理手段６２が認証要求を発生すると（図５中のステップＳ４６１）、ワンタイムパスワード生成手段６７がワンタイムパスワードを発生する（図５中のステップＳ４６２）。
【０１９３】
管理サーバ６０の認証要求の通知を受けた携帯電話装置１０では、携帯電話装置１０は、体調管理用携帯端末装置２０に対してワンタイムパスワードを発生するように通知する。
【０１９４】
ここで、ワンタイムパスワード処理手段２５８は、そのタイミングと機器に付与された所定の情報とを参照し、ワンタイムパスワード生成手段６７が発生するワンタイムパスワードと同期（一致）したワンタイムパスワードを生成する（図５中のステップＳ４２２’）。
【０１９５】
そして、体調管理用携帯端末装置２０では生体データ値により本人確認を実行しており（図５中のステップＳ４２１）、このようにしてワンタイムパスワードを生成（図５中のステップＳ４２２’）した体調管理用携帯端末装置２０では、生体データ値により本人確認ができていればワンタイムパスワードを表示手段２４に表示する（図５中のステップＳ４２３）。
【０１９６】
なお、このワンタイムパスワードの表示は、本人確認ができている間は表示し続けてもよいし、また、図示されないスイッチなどの操作をきっかけにして表示を行うようにしてもよい。
【０１９７】
また、(a)〜(i)で説明したように、利用者本人と第三者との区別が可能になっており、利用者本人に対してだけワンタイムパスワードを発行することが可能になる。また、生体認証によって本人確認された場合にワンタイムパスワードを表示するようにしているため、ワンタイムパスワード発生装置を紛失したとしても、ワンタイムパスワードが第三者に使われてしまうことはなくなる。
【０１９８】
また、管理サーバ６０の認証要求の通知を受けた携帯電話装置１０では、表示手段１５に認証情報の要求を表示する（図５中のステップＳ４１１）。この表示を見た利用者は、体調管理用携帯端末装置２０の表示手段２４に表示されているワンタイムパスワードを、携帯電話装置１０の入力手段１４に入力する（図５中のステップＳ４１２）。このようにして携帯電話装置１０に入力されたワンタイムパスワードは、送受信手段１２を経由して、管理サーバ６０に対して送信される（図５中のステップＳ４１３）。
【０１９９】
管理サーバ６０側では、携帯電話装置１０から返信（図５中のステップＳ４６４）されたワンタイムパスワードと、ワンタイムパスワード生成手段６７で生成したワンタイムパスワードとを認証手段６３で比較して認証を行う（図５中のステップＳ４６５）。
【０２００】
ここで、所定時間経過してもワンタイムパスワードが携帯電話装置１０から返信されない場合や、生成したワンタイムパスワードと返信されたワンタイムパスワードとが一致しない場合、エラーとして処理し、携帯電話装置１０に対してエラー通知を行い、情報端末装置の表示画面をロック状態を継続する（図５中のステップＳ４６６、Ｓ４１４）。
【０２０１】
〔２−２〕管理サーバの位置チェック機能：
本実施形態の情報端末装置管理システム１における管理サーバ６０の位置チェック機能〔管理手段６２の上記項目(37)の機能〕について、図７に示すフローチャート（ステップＳ７１〜Ｓ８０）従って説明する。なお、図７を参照しながら説明する位置チェック機能は、前述した通り、管理サーバ６０ではなく、この管理サーバ６０とは別にそなえられた管理サーバ（図示略）や位置チェック専用のサーバによって実現されてもよい。
【０２０２】
所定周期の位置チェックタイミングになると（ステップＳ７１のＹＥＳルート）、同一の利用者によって所持・携帯されているべきである２つの装置、即ち携帯電話装置１０および体調管理用携帯端末装置２０に対しそれぞれ第一位置および第二位置が要求される（ステップＳ７２）。このとき、同一の利用者によって所持・携帯されているべきである携帯電話装置１０および体調管理用携帯端末装置２０の組み合わせに関する情報は、前述の通り、例えば携帯電話装置１０の電話番号に対応付けられて、予めデータベース等に保持されており、管理手段６２は、そのデータベース等を、携帯電話装置１０の電話番号をキーにして検索を行なうことにより、そのＩＤ情報に対応した２つの装置（携帯電話装置１０および体調管理用携帯端末装置２０）に関する情報（要求先情報）を獲得する。
【０２０３】
第一位置および第二位置の要求に対しいずれか一つでも応答がない場合（ステップＳ７３のＮＯルート）、携帯電話装置１０および体調管理用携帯端末装置２０の少なくとも一方に何らかの異状が生じている状態であると判断され、警告手段６４によって、システム管理者や利用者（携帯電話装置１０および体調管理用携帯端末装置２０）に対する警告通知が行なわれ（ステップＳ７４）、管理サーバの命令により携帯電話装置１０の表示画面がロックされ（ステップＳ７５）、ステップＳ７１の処理に戻る。
【０２０４】
ステップＳ７２の要求に対し、第一位置および第二位置の回答・通知があった場合（ステップＳ７３のＹＥＳルート）、携帯電話装置１０の送受信手段１２によって通知された第一位置と体調管理用携帯端末装置２０の送受信手段２５５によって通知された第二位置との間の距離が算出され（ステップＳ７６）、算出された距離が所定範囲内であるか否かが判断される（ステップＳ７７）。その距離が所定範囲内である場合（ステップＳ７７のＹＥＳルート）、携帯電話装置１０と体調管理用携帯端末装置２０とは同一の利用者によって所持・携帯されているものと判断され、ステップＳ７１の処理に戻る。
【０２０５】
ステップＳ７６で算出された距離が所定範囲外である場合（ステップＳ７７のＮＯルート）、所定範囲外となっている状態が所定時間（例えば３０分）を超えていない場合（ス
テップＳ７８のＮＯルート）、一時的に携帯電話装置１０と体調管理用携帯端末装置２０との距離が離れているものと判断され、ステップＳ７１の処理に戻る。これに対し、所定時間以上（例えば３０分以上）に亘って所定範囲外である場合（ステップＳ７８のＹＥＳルート）、携帯電話装置１０の置き忘れ，盗難等により携帯電話装置１０と体調管理用携帯端末装置２０とが異なる場所に存在していると判断し、警告手段６４によって、システム管理者や利用者（携帯電話装置１０および体調管理用携帯端末装置２０）に対する警告通知が行なわれ（ステップＳ７９）、管理サーバの命令により携帯電話装置１０の表示画面がロックされ（ステップＳ８０）、ステップＳ７１の処理に戻る。
【０２０６】
〔２−３〕管理サーバの生体センサ検出動作チェック機能：
本実施形態の情報端末装置管理システム１における管理サーバ６０の生体センサ検出動作チェック機能〔管理手段６２の上記項目(38)の機能〕について、図８に示すフローチャート（ステップＳ８１〜Ｓ１０９）に従って説明する。なお、図８を参照しながら説明する生体センサ検出動作チェック機能は、前述した通り、管理サーバ６０ではなく、この管理サーバ６０とは別にそなえられた管理サーバ（図示略）や生体センサ検出動作チェック専用のサーバによって実現されてもよい。
【０２０７】
所定周期の生体センサ検出動作チェックタイミングになると（ステップＳ８１のＹＥＳルート）、体調管理用携帯端末装置２０に対し動作状態が要求され（ステップＳ８２）、動作状態の応答がない場合（ステップＳ８３のＮＯルート）、体調管理用携帯端末装置２０に何らかの異状が生じている状態であると判断され、警告手段６４によって、システム管理者や利用者（携帯電話装置１０および体調管理用携帯端末装置２０）に対する警告通知が行なわれ（ステップＳ８４）、さらに、システム管理者に対し応答なしのエラー通知が行なわれるとともに、携帯電話装置１０／体調管理用携帯端末装置２０に対し応答なしのエラー通知が行なわれ（ステップＳ８５）、管理サーバの命令により携帯電話装置１０の表示画面がロックされ（ステップＳ８６）、ステップＳ８１の処理に戻る。
【０２０８】
ステップＳ８２の要求に対し動作状態の回答・通知があった場合（ステップＳ８３のＹＥＳルート）、体調管理用携帯端末装置２０から通知された動作状態が検出動作中であるか否かを判断する。
【０２０９】
その動作状態が動作中でない場合つまり生体センサ２０ＢＳが検出動作を行なっていないことが検出された場合（もしくは体調管理用携帯端末装置２０が利用者の身体に装着されていない場合；ステップＳ８７のＮＯルート）、システム管理者に対し、生体センサ２０ＢＳが動作していない旨のエラー通知が行なわれるとともに、携帯電話装置１０／体調管理用携帯端末装置２０に対し、生体センサ２０ＢＳが動作していない旨の通知が行なわれ（ステップＳ８８）、管理サーバの命令により携帯電話装置１０の表示画面がロックされ（ステップＳ８９）、さらに、当該利用者の体調管理用携帯端末装置２０における生体データ値の検出動作が中断状態になっていることが、当該利用者（電話番号，識別情報等）に対応付けて登録・保存されてから（ステップＳ９０）、ステップＳ８１の処理に戻る。ただし、この体調管理用携帯端末装置２０について中断登録が既に行なわれている場合には、ステップＳ８８〜Ｓ９０の処理は省略される。
【０２１０】
体調管理用携帯端末装置２０から通知された動作状態が検出動作中である場合（ステップＳ８７のＹＥＳルート）、その体調管理用携帯端末装置２０が中断登録されているものであるか否かを判断し、中断登録されていない場合、その体調管理用携帯端末装置２０は中断状態から生体センサ２０ＢＳの動作を再開したものではなく、継続的に生体センサ２０ＢＳが動作しているので（ステップＳ９１のＮＯルート）、ステップＳ８１の処理に戻る。
【０２１１】
その体調管理用携帯端末装置２０が、中断登録されている場合、中断状態から生体センサ２０ＢＳの動作を再開したものであると判断され（ステップＳ９１のＹＥＳルート）、その体調管理用携帯端末装置２０に対して、生体センサ２０ＢＳによる検出動作の中断前後に蓄積された所定期間（例えば１時間）に亘る生体データ値（例えば体温，血圧，心拍数，呼吸数）が要求される（ステップＳ９２）。
【０２１２】
この要求に応じ、体調管理用携帯端末装置２０から生体データ値が通知されると、統計値算出手段６５により、中断前後の生体データ値について中断前統計値および再開後統計値（例えば平均値）が算出され（ステップＳ９３）、統計値判断手段６６により、算出された中断前統計値と再開後統計値とが比較され（ステップＳ９４）、これらの統計値の差が所定範囲内であるか否かでこれらの統計値が同一利用者の生体データ値の統計値であるか否かが判断される（ステップＳ９５）。
【０２１３】
これらの統計値の差が所定範囲外でこれらの統計値が同一利用者の生体データ値の統計値ではないと判断された場合（ステップＳ９５のＮＯルート）、体調管理用携帯端末装置２０を身体に装着した利用者が、生体データ値の検出動作中断前後で異なる人物である可能性が高いと判断され、警告手段６４によって、システム管理者や利用者（携帯電話装置１０および体調管理用携帯端末装置２０）に対する警告通知が行なわれ（ステップＳ９６）、さらに、システム管理者に対しエラー通知が行なわれるとともに、携帯電話装置１０／体調管理用携帯端末装置２０に対しエラー通知が行なわれ（ステップＳ９７）、携帯電話装置１０の表示画面ロック状態が維持され（ステップＳ９８）、ステップＳ８１の処理に戻る。
【０２１４】
ステップＳ９３で算出された統計値の差が所定範囲内でこれらの統計値が同一利用者の生体データ値の統計値であると判断された場合（ステップＳ９５のＹＥＳルート）、動作状態チェック対象になっている体調管理用携帯端末装置２０と、この体調管理用携帯端末装置２０を利用している利用者が所持・携帯しているべきである携帯電話装置１０とに対しそれぞれ第一位置および第二位置が要求される（ステップＳ９９）。このとき、同一の利用者によって所持・携帯されているべきである携帯電話装置１０および体調管理用携帯端末装置２０の組み合わせに関する情報は、例えば体調管理用携帯端末装置２０の識別情報に対応付けられて、予めデータベース等に保持されており、管理手段６２は、そのデータベース等を、体調管理用携帯端末装置２０の識別情報をキーにして検索を行なうことにより、現在動作状態チェック対象になっている体調管理用携帯端末装置２０と対になる携帯電話装置１０に関する情報（要求先情報）を獲得する。
【０２１５】
第一位置および第二位置の要求に対しいずれか一つでも応答がない場合（ステップＳ１００のＮＯルート）、携帯電話装置１０および体調管理用携帯端末装置２０の少なくとも一方に何らかの異状が生じている状態であると判断され、警告手段６４によって、システム管理者や利用者（携帯電話装置１０および体調管理用携帯端末装置２０）に対する警告通知が行なわれ（ステップＳ１０１）、さらに、システム管理者に対し応答なしのエラー通知が行なわれるとともに、携帯電話装置１０／体調管理用携帯端末装置２０に対し応答なしのエラー通知が行なわれ（ステップＳ１０２）、携帯電話装置１０の表示画面ロック状態が維持され（ステップＳ１０３）、ステップＳ８１の処理に戻る。
【０２１６】
ステップＳ９９の要求に対し、第一位置および第二位置の回答・通知があった場合（ステップＳ１００のＹＥＳルート）、携帯電話装置１０の送受信手段１２によって通知された第一位置と体調管理用携帯端末装置２０の送受信手段２５５によって通知された第二位置との間の距離が算出され（ステップＳ１０４）、算出された距離が所定範囲内であるか否かが判断される（ステップＳ１０５）。
【０２１７】
その距離が所定範囲外である場合（ステップＳ１０５のＮＯルート）、携帯電話装置１０と体調管理用携帯端末装置２０とが異なる場所に存在し携帯電話装置１０が体調管理用携帯端末装置２０を装着した人とは異なる人によって利用されている可能性が高いと判断され、警告手段６４によって、システム管理者や利用者（携帯電話装置１０および体調管理用携帯端末装置２０）に対する警告通知が行なわれ（ステップＳ１０６）、さらに、システム管理者に対しエラー通知が行なわれるとともに、携帯電話装置１０／体調管理用携帯端末装置２０に対しエラー通知が行なわれ（ステップＳ１０７）、携帯電話装置１０の表示画面ロック状態が維持され（ステップＳ１０８）、ステップＳ８１の処理に戻る。
【０２１８】
ステップＳ１０４で算出された距離が所定範囲内である場合（ステップＳ１０５のＹＥＳルート）、携帯電話装置１０と体調管理用携帯端末装置２０とは同一の利用者によって所持・携帯されているものと判断され、携帯電話装置１０の表示画面ロック状態が解除される（ステップＳ１０９）。
【０２１９】
〔２−４〕携帯電話装置の動作：
本実施形態の情報端末装置管理システム１における携帯電話装置１０の動作について、図９に示すフローチャート（ステップＳ１１１〜Ｓ１１７）に従って説明する。携帯電話装置１０においては、利用者によって通常の通話機能や電子メール機能が利用されるが、これらの機能とは別に、この携帯電話装置１０を用いて管理サーバ６０によるサービス提供を受ける際には、携帯電話装置１０は、管理サーバ６０からの位置要求，エラー通知，警告通知に応じて、図９に示すような機能を果たす。
【０２２０】
携帯電話装置１０の送受信手段１２により、管理サーバ６０から第一位置の要求を受けると（ステップＳ１１１のＹＥＳルート）、ＧＰＳ位置検出部１１に対し現在位置（携帯電話装置１０の所在位置）の検出要求を行ない（ステップＳ１１２）、ＧＰＳ位置検出部１１によって検出された現在位置が、送受信手段１２により第一位置として管理サーバ６０に対し通知され（ステップＳ１１３）、ステップＳ１１１の処理に戻る。
【０２２１】
また、携帯電話装置１０の送受信手段１２により、管理サーバ６０からエラー通知を受けると（ステップＳ１１１のＮＯルートからステップＳ１１４のＹＥＳルート）、そのエラー通知の内容に応じた情報を、携帯電話装置１０のディスプレイ（図示略）でイメージ情報として表示して利用者に通知したり、音声情報として利用者に通知してから（ステップＳ１１５）、ステップＳ１１１の処理に戻る。
【０２２２】
さらに、携帯電話装置１０の送受信手段１２により、管理サーバ６０から警告通知を受けると（ステップＳ１１４のＮＯルートからステップＳ１１６のＹＥＳルート）、その警告通知の内容に応じた情報を、携帯電話装置１０のディスプレイ（図示略）でイメージ情報として表示して利用者に通知したり、音声情報として利用者に通知して、警告動作を行なってから（ステップＳ１１７）、ステップＳ１１１の処理に戻る。なお、ステップＳ１１７で行なわれる警告動作は、ステップＳ１１５で行なわれるエラー表示よりも強調的な動作として行なわれるものとする。例えば、警告動作としては、ディスプレイによって警告内容の通知を行なうだけでなく、携帯電話装置１０のバイブレーション機能や呼び出し機能を用いることで、利用者に対しより強く通知を行なう。
【０２２３】
〔２−５〕体調管理用携帯端末装置の動作：
図１０，図１１および図１２は、それぞれ、本実施形態の体調管理用携帯端末装置２０における生体センサ２０ＢＳ，気象センサ２０ＷＳおよびＧＰＳ位置検出部２０ＧＳの動作を説明するためのフローチャートであり、図１０に示すように、生体センサ２０ＢＳは、利用者の生体データ値（体温，血圧，心拍数，呼吸数）を所定周期で検出し（ステップＳ１２１）、検出された生体データ値をＣＰＵ２５に送信する（ステップＳ１２２）。
【０２２４】
同様に、図１１に示すように、気象センサ２０ＷＳは、利用者が所在している雰囲気中の気象データ（気温／水温，湿度，気圧／水圧）を所定周期で検出し（ステップＳ１３１）、検出された気象データをＣＰＵ２５に送信する（ステップＳ１３２）。
【０２２５】
さらに、図１２に示すように、ＧＰＳ位置検出部２０ＧＳは、利用者の現在の所在位置（経度・緯度情報）を全地球方位計測システムによって所定周期で検出し（ステップＳ１４１）、検出された所在位置をＣＰＵ２５に送信する（ステップＳ１４２）。
【０２２６】
ここで、これら生体センサ２０ＢＳ，気象センサ２０ＷＳおよびＧＰＳ位置検出部２０ＧＳによるＣＰＵ２５への送信動作は、上記所定周期で同期して同時に実行されるように制御されているものとする。
【０２２７】
図１３は本実施形態の体調管理用携帯端末装置２０におけるＣＰＵ２５の動作を説明するためのフローチャート（ステップＳ２０１〜Ｓ２２９）であり、この図１３に示すように、生体センサ２０ＢＳ，気象センサ２０ＷＳおよびＧＰＳ位置検出部２０ＧＳから生体データ値，気象データおよび所在位置をそれぞれ受信すると（ステップＳ２０１のＹＥＳルート）、受信した生体データ値，気象データおよび所在位置が、送受信手段２５５により、ネットワーク９０を介して体調管理サーバ８０に送信され、生体データ値はメモリ２０Ｍに蓄積されるとともに（ステップＳ２０２）、気象センサ２０ＷＳによって検出された気象データ（気温／水温，湿度，気圧／水圧）に対応する気象条件について前述のごとく設定された生体データ閾値が、閾値読出手段２５２により、閾値テーブル２０Ｔから検索されて読み出される（ステップＳ２０３）。
【０２２８】
そして、比較手段２５３において、閾値読出手段２５２によって読出された生体データ閾値と生体センサ２０ＢＳによって検出された生体データ値（体温，血圧，心拍数，呼吸数）とが比較され（ステップＳ２０４）、上述したような基準に従って利用者の体調異状が判断・検知される（ステップＳ２０５）。生体データ値が生体データ閾値を超えていない場合もしくは下回っていない場合には、異状なしと判断され（ステップＳ２０５のＮＯルート）、ステップＳ２０１の処理に戻る。
【０２２９】
一方、生体データ値が生体データ閾値を超えている場合、もしくは、下回っている場合には、異状ありと判断され（ステップＳ２０５のＹＥＳルート）、警告手段２５４によって、利用者に対する警告動作が実行される（ステップＳ２０６）。具体的には、本携帯端末装置２０におけるブザー等が鳴動されたり、ＬＥＤランプ等が点滅されたりする。
【０２３０】
警告動作を開始した後、利用者によって停止操作部２６が操作されたか否かを制御手段２５６によって検知し（ステップＳ２０７）、警告動作開始後、所定時間だけ経過しても警告手段２５４の警告動作を停止させる操作（停止操作部２６の操作）が実行されない場合（ステップＳ２０７のＮＯルートからステップＳ２０８のＹＥＳルート）、送受信手段２５５により、ネットワーク９０を介して第一連絡先への通知が実行される（ステップＳ２０９）。
【０２３１】
このとき、上述のごとく停止操作部２６の操作が所定時間以上経過しても実行されない状況は、利用者が意識を無くしている等のかなり危険な状態であると考えられ、第一連絡先としての消防等のほか、管理者端末３０，連絡先端末４０，主治医端末５０に、利用者の体調異状が、異状発生時の生体データ値，気象データおよび所在位置とともに通知される。また、上述のような状態では、利用者自身が電話や電子メールで対応できる状態ではないと考えられるので、予め登録されている、体調異状通知のための音声情報や電子メール文面に、生体データ値，気象データおよび所在位置を添付して、音声による自動発呼も
しくは電子メールの自動送信を行なうことにより、体調異状の通知が行なわれる。
【０２３２】
停止操作部２６の操作が所定時間内に利用者によって実行され、警告手段２５４の警告動作が停止された場合（ステップＳ２０７のＹＥＳルート）、問合せ手段２５７によって、送受信手段２５５による通知を実行するか否かを利用者に対し問い合せる（ステップＳ２１０）。この問合せに対し送受信手段２５５による通知を実行する旨の回答を利用者が行なった場合（ステップＳ２１１のＹＥＳルート）、送受信手段２５５により、ネットワーク９０を介して第二連絡先への通知が実行される（ステップＳ２１２）。
【０２３３】
このとき、第二連絡先としての主治医の電話（例えば主治医端末５０）に対する発呼が自動的に行なわれ、主治医の応答があれば（ステップＳ２１３のＹＥＳルート）、利用者（携帯端末装置２０）と主治医（主治医端末５０）との間が通話状態となり（ステップＳ２１４）、利用者自身が、主治医に適切な処置の指示を仰ぐことができるようにする。その際、異状発生時の生体データ値，気象データおよび所在位置も、例えば電子メールによって同時に主治医端末５０に通知される（ステップＳ２１２）。
【０２３４】
主治医の応答がなければ（ステップＳ２１３のＮＯルート）、主治医以外の連絡先が登録されているか否かを判断し（ステップＳ２１５）、主治医以外の連絡先がない場合（ステップＳ２１５のＮＯルート）、ステップＳ２１２に戻り、第二連絡先（主治医）への発呼を再度実行する。一方、主治医以外の連絡先（例えば管理者や主催者／運営者など）が登録されている場合（ステップＳ２１５のＹＥＳルート）、その連絡先に対し自動発呼もしくは電子メールの自動送信を行なう（ステップＳ２１６）。
【０２３５】
問合せ手段２５７による問合せに対し送受信手段２５５による通知を実行しない旨の回答を利用者が行なった場合（ステップＳ２１１のＮＯルート）、利用者が、所定回数、連続して通知拒否を行なったか否かを判定する（ステップＳ２１７）。そして、所定回数連続して通知拒否を行なっていない場合（ステップＳ２１７のＮＯルート）には、ステップＳ２０１の処理に戻る一方、所定回数連続して送受信手段２５５による通知の実行を拒否した場合（ステップＳ２１７のＹＥＳルート）、送受信手段２５５により、ネットワーク９０を介して第３連絡先への通知が強制的に実行される（ステップＳ２１８）。つまり、利用者が自己判断で警告を停止・解除しても異状が繰り返し検知される場合には、利用者はかなり危険な状態にあるものと判断され、第３連絡先としての友人や近親者（連絡先端末４０）に対して体調異状の通知が強制的に行なわれる。その際、管理者端末３０や主治医端末５０にも体調異状の通知を行なう。
【０２３６】
一方、送受信手段２５５により管理サーバ６０から第二位置の要求を受けると（ステップＳ２０１のＮＯルートからステップＳ２１９のＹＥＳルート）、ＧＰＳ位置検出部２０ＧＳに対し現在位置（携帯端末装置２０の所在位置）の検出要求を行ない（ステップＳ２２０）、ＧＰＳ位置検出部２０ＧＳによって検出された現在位置が、送受信手段２５５により第二位置として管理サーバ６０に対し通知され（ステップＳ２２１）、ステップＳ２０１の処理に戻る。
【０２３７】
送受信手段２５５より管理サーバ６０から生体センサ２０ＢＳの検出動作状態の要求を受けると（ステップＳ２１９のＮＯルートからステップＳ２２２のＹＥＳルート）、制御手段２５６の動作状態検出手段としての機能により、生体センサ２０ＢＳが利用者から生体データ値の検出する動作を現在行なっているか否か（つまり、体調管理用携帯端末装置２０が利用者の身体に実際に装着されその利用者から生体データ値を検出している状態にあるか否か）が、動作状態として検出され（ステップＳ２２３）、その検出結果が、送受信手段２５５により管理サーバ６０に対し通知され（ステップＳ２２４）、ステップＳ２０１の処理に戻る。
【０２３８】
また、送受信手段２５５より管理サーバ６０から、生体センサ２０ＢＳの検出動作の中断前後における生体データ値の要求を受けると（ステップＳ２２２のＮＯルートからステップＳ２２５のＹＥＳルート）、生体センサ２０ＢＳによる検出動作の中断前後にメモリ２０Ｍに蓄積された所定期間（例えば１時間）に亘る生体データ値が読み出され（ステップＳ２２６）、読み出された生体データ値が、送受信手段２５５によりネットワーク９０を介して管理サーバ６０に通知され（ステップＳ２２７）、ステップＳ２０１の処理に戻る。
【０２３９】
さらに、送受信手段２５５より、エラー通知や警告通知を含む警告動作要求を受けると（ステップＳ２２５のＮＯルートからステップＳ２２８のＹＥＳルート）、その通知の内容に応じて制御手段２５６により警告手段２５４が制御され、この警告手段２５４によって、利用者に対する警告動作が実行され（ステップＳ２２９）、ステップＳ２０１の処理に戻る。具体的には、本携帯端末装置２０におけるブザー等が鳴動されたり、ＬＥＤランプ等が点滅されたりする。なお、本携帯端末装置２０にディスプレイ等の表示機能があれば、携帯電話装置１０の場合と同様に、エラー通知や警告通知の内容をそのディスプレイ上に表示する。また、ステップＳ２２８において警告動作要求を受けていないと判定された場合（ＮＯルート）、ステップＳ２０１の処理に戻る。
【０２４０】
〔２−６〕体調管理サーバの動作：
図１４および図１５は、いずれも本実施形態の体調管理サーバ８０の動作（閲覧サービス）を説明するためのフローチャート（ステップＳ１５１〜Ｓ１５３，Ｓ１６１〜Ｓ１６５）であり、まず、図１４に示すように、体調管理サーバ８０では、携帯端末装置２０からの生体データ値，気象データおよび所在位置を定期的に受信すると（ステップＳ１５１のＹＥＳルート）、これらの生体データ，気象データおよび位置データが蓄積されるとともに（ステップＳ１５２）、生体データ，気象データおよび位置データが、検出時刻に対応付けながらグラフに加工されたり地図上に反映され、オリジナルデータとともに保存される（ステップＳ１５３）。
【０２４１】
そして、図１５に示すように、体調管理サーバ８０では、契約者（体調管理サーバ８０のサービスを受けるべく予め契約・登録を行なっている者）の端末から、データの閲覧要求があった場合（ステップＳ１６１のＹＥＳルート）、その契約者の端末に対し、契約・登録時に設定・発行された認証情報（ＩＤ番号およびパスワード）を要求し、認証情報を受けると、その認証情報と、体調管理サーバ８０側で予め保存されている契約・登録時の認証情報とを比較・照合することにより本人認証を行ない（ステップＳ１６２）、本人認証がなされた場合（ステップＳ１６３のＹＥＳルート）、サービス提供を望む契約者に対して、蓄積されたデータや加工されたグラフや地図の閲覧サービス（公開サービス）を提供する（ステップＳ１６４）。一方、本人認証がなされなかった場合（ステップＳ１６３のＮＯルート）、契約者の端末に対しエラー通知が行なわれる（ステップＳ１６５）。
【０２４２】
このような体調管理サーバ８０をそなえ、この体調管理サーバ８０によって提供されるサービスを利用することで、利用者の体調異状を通知する際に異状発生時の生体データ値，気象データおよび所在位置を同時に通知しなくても、体調異状の通知を受けた管理者，主治医，連絡先は、予め体調管理サーバ８０と契約していれば、体調異状を生じた利用者についての生体データ値，気象データおよび所在位置を、体調管理サーバ８０にアクセスして把握することが可能になる。
【０２４３】
なお、体調管理サーバ８０には、体調管理用携帯端末装置２０から、生体データ値，気象データおよび所在位置が所定周期で送信されてくるので（図１３のステップＳ２０２参照）、その生体データ値を利用することにより、上記動作状態検出手段としての機能（上
述した実施形態では体調管理用携帯端末装置２０の制御手段２５６にそなえられた機能）を体調管理サーバ８０で実現することも可能である。そこで、体調管理サーバ８０において、体調管理用携帯端末装置２０からの生体データ値に基づいて、体調管理用携帯端末装置２０の生体センサ２０ＢＳが利用者から生体データ値の検出する動作を行なっているか否か、つまり、体調管理用携帯端末装置２０が利用者の身体に実際に装着されその利用者から生体データ値を検出している状態にあるか否かを、動作状態として検出し、その検出結果を用い図８に示すフローチャートに従って体調管理サーバ８０が上記生体センサ検出動作チェック機能を果たすように構成してもよい。
【０２４４】
〔３〕本実施形態の情報端末装置管理システムの効果：
このように、本発明の一実施形態としての情報端末装置管理システム１によれば、情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、管理サーバは、情報端末装置の表示画面をロックする命令を情報端末装置に与える。
【０２４５】
また、本発明の一実施形態としての情報端末装置管理システム１によれば、情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、情報端末装置の制御手段は、情報端末装置の表示画面をロックする制御を行う。
【０２４６】
つまり、利用者によって携帯されるべき生体データ検出端末装置と、利用者によって利用されるべき情報端末装置との現在位置間の距離が所定範囲内にある場合、言い換えれば２種類の装置を正当な利用者本人が所持し利用しているものと判断可能な状況である場合にのみ、情報端末装置を使用し続けることができる。
【０２４７】
従って、正当な利用者が情報端末装置から離れれば、情報端末装置は管理サーバからの命令や制御手段からの制御によって表示画面がロックされて使用できない状態になる。すなわち、急な電話、トイレ休憩、急な呼び出し、などの場合にも、特別な操作をすることなく、情報端末装置がロックされた状態になる。
【０２４８】
一方、情報端末装置を紛失したり盗難されたりしても、生体データ検出端末装置を所持していなければ、情報端末装置の表示画面はロックされた状態であり、使用できない状態になる。
【０２４９】
同様に、生体データ検出端末装置を紛失したり盗難されたりしても、生体データ検出端末装置は正当な利用者の生体データ値によって正当な利用者本人か否かの確認を行うため、正当な利用者本人以外に対しては、情報端末装置の表示画面はロックされた状態であり、使用できない状態になる。
【０２５０】
すなわち、生体データ検出端末装置か情報端末装置の一方、あるいは、両方を紛失したり盗難されたりしても、正当な利用者本人が身につけた状態の生体データ検出端末装置が存在しなければ、情報端末装置の表示画像メモリがロックされた状態になるため、悪意のある第三者による不正利用をより確実に防止することができ、十分なセキュリティが確保され、利用者の被る損害を最小限に抑えることができるのである。
【０２５１】
そして、腕時計や体調管理用携帯情報端末装置などのように利用者の身体に常時装着される装置に生体データ検出端末装置としての機能をそなえることで、本発明のシステムはより有効に機能し、十分なセキュリティの確保に寄与することになる。
【０２５２】
また、体調管理などのために常時あるいは連続的に一定時間取得されている生体データ値を用いるため、生体認証のための専用のスキャン操作などが不要になる利点がある。また、さらに、体調管理のために常時あるいは連続的に一定時間取得されている生体データ値を用いるため、生体データ値を盗まれたりしにくく、なりすましに対しても強いという利点がある。
【０２５３】
したがって、コンピュータ機器や携帯電話装置などの情報端末装置を使用する際に、その情報端末装置を紛失したり盗難されたりだけでなく、席を離れたような場合でも、第三者による不正利用や閲覧をより確実に防止できるようにして、十分なセキュリティを確保し、利用者の被る損害を最小限に抑えることが可能になる。
【０２５４】
つまり、本実施形態のシステム１では、利用者によって常時所持・携帯されるべき２種類の装置１０，２０の現在位置間の距離が所定範囲内にある場合、言い換えれば２種類の装置１０，２０を同一人物が所持・携帯されているものと判断可能な状況である場合であって、且つ、認証情報により利用者が予め登録された本人であることが認証された場合であって、且つ、利用者が体調管理用携帯端末装置２０を身体に装着している状態でなければ、所定携帯電話装置１０の表示画面はロックされずない。
【０２５５】
従って、万一、携帯電話装置１０を紛失したり盗難されたりしても、体調管理用携帯端末装置２０を所持していなければ、悪意のある第三者による不正利用をより確実に防止することができ、十分なセキュリティが確保され、利用者の被る損害を最小限に抑えることができるのである。体調管理用携帯端末装置２０のように利用者の身体に常時装着される装置にとしての機能をそなえることで、本実施形態のシステム１はより有効に機能し、十分なセキュリティの確保に寄与することになる。
【０２５６】
このとき、前記距離が所定時間以上に亘って前記所定範囲外である場合、システム管理者や利用者に対し警告通知を行なうことにより、携帯電話装置１０の置き忘れや盗難を確実に防止したり、携帯電話装置１０の置き忘れや盗難に対する対処（各種サービスの提供停止など）を直ちに実行したりすることが可能になる。
【０２５７】
その際、利用者が体調管理用携帯端末装置２０を身体から取り外したりして生体センサ２０ＢＳによる検出動作の中断および再開が生じたような場合、統計値算出手段６５により生体データ値の中断前統計値および再開後統計値を算出し、これらの統計値が同一利用者の生体データ値の統計値であれば携帯電話装置１０の表示画面をロックせず、同一利用者の生体データ値の統計値でなければ情報端末装置の表示画面をロックすることで、生体センサ２０ＢＳによる検出動作の中断前後の利用者が同一人物であるか否かを生体データ値に基づいて統計的に判断することができるので、明らかに異なる人物である場合には情報端末装置の表示画面をロックすることができ、不正利用をより確実に防止することができ、十分なセキュリティが確保されることになる。
【０２５８】
この場合、生体データ値の検出動作が中断してから再開後統計値に基づく判断が確定するまで情報端末装置の表示画面をロックすることで、検出動作の中断後から判断確定までの間隙をついての不正利用が確実に防止され、十分なセキュリティが確保される。
【０２５９】
さらに、管理サーバ６０からの第一位置，第二位置および動作状態の要求に対し応答が無かった場合や、生体センサ２０ＢＳの中断前後の利用者が同一人物ではないと判断された場合や、携帯電話装置１０と体調管理用携帯端末装置２０との距離が所定範囲外である場合には、利用者やシステム管理者に対し警告手段６４，７４による警告がなされるので、携帯電話装置１０や体調管理用携帯端末装置２０において何らかの異状や不正利用の可
能性が生じている状況に確実に対処することができ、不正利用が確実に防止され、十分なセキュリティが確保される。
【０２６０】
一方、携帯端末装置２０において、利用者の体調を管理するための生体データ閾値を、閾値テーブル２０Ｔにおいて気象条件毎に予め設定しておき、気象センサ２０ＷＳによって検出された気象データ（例えば気温，水温，湿度，気圧，水圧）に対応する気象条件について設定された生体データ閾値を閾値テーブル２０Ｔから検索して読み出し、読み出された生体データ閾値と生体センサ２０ＢＳによって検出された生体データ値（例えば体温，血圧，心拍数，呼吸数）とを比較した結果、利用者の体調異状を検知した場合に、利用者に対して体調異状の警告（例えば、ブザー等の鳴動動作，ＬＥＤランプ等の点滅動作，携帯電話装置の呼び出し動作による警告）が発せられたり、利用者の体調異状が所定の連絡先へ通知（例えば電話や電子メールによって自動通知）されたりする。
【０２６１】
これにより、利用者の所在雰囲気中の気象データに応じた生体データ閾値を基準にして利用者の体調を管理・判断することができるので、利用者の所在雰囲気中の気象データを考慮した適切な管理・判断が可能になり、さらに、その判断結果に応じて利用者本人に対する警告や、管理者などへの体調異状の通知を適切に行なえ、利用者の自己判断に頼ることなく、利用者の体調に応じた適切な対処・対応を直ちに実行することができる。
【０２６２】
このとき、利用者に対する体調異状の警告を行なった場合に、その警告動作を停止させる操作が利用者によって所定時間以上実行されなければ、利用者が意識を無くしている等のかなり危険な状態であると判断され、利用者の体調異状の通知が直ちに実行されるので、迅速な対応をとることができる。その際、第一連絡先としての消防等に通知を行なうことで、救急車等の緊急車両の手配を直ちに行なうことができるほか、生体センサ２０ＢＳによって検出されている生体データ値を同時に通知することで、生体データ値に応じた適切な処置をより迅速に行なえるようになる。さらに、ＧＰＳ位置検出部２０ＧＳによって利用者の所在位置を同時に通知することで、利用者の所在位置を直ちに確認することができ、利用者が所在する場所に、緊急車両等を直ちに向かわせることができ、迅速な初動対応を実現することができる。
【０２６３】
また、警告動作を停止させる操作が利用者によって所定時間内に実行された場合、体調異状の通知を実行するか否かについて利用者に問い合せ、利用者の回答に応じて体調異状の通知を実行することにより、利用者に注意を喚起した上で、利用者自身の判断を仰いでから体調異状の通知が行なわれるので、むやみやたらに自動通知が行なわれないようにすることができる。そして、利用者が望めば通知が行なわれ、その際、通知として主治医への電話発呼を行なうことにより、利用者は、主治医に適切な処置の指示を仰ぐことができるほか、生体センサ２０ＢＳによって検出されている生体データ値を同時に通知することで、主治医は、適切な判断や、適切な処置の指示を行なうことができる。
【０２６４】
上記問合せに対し利用者が所定回数連続して体調異状通知の実行を拒否した場合、つまり利用者が自己判断で警告を停止・解除しても異状が繰り返し検知される場合には、利用者はかなり危険な状態にあるものと判断し、体調異状の通知が強制的に行なわれ、迅速な対応をとることができるようになる。その際には、例えば、友人や、親族，配偶者などの近親者に対する通知を行なうほか、ＧＰＳ位置検出部２０ＧＳによって利用者の所在位置を同時に通知することで、利用者の所在位置を直ちに確認することができ、利用者が所在する場所に友人や近親者が直ちに向かうことができる。
【０２６５】
〔４〕他の実施形態：
以上の実施形態では、第一位置と第二位置との比較を管理サーバ６０で行い、情報端末装置（携帯電話装置１０など）の表示画面のロックを管理サーバ６０の命令により行うよ
うにしていた。これに対し、第一位置と第二位置との比較を情報端末装置（携帯端末装置２０など）側の制御手段で行って、表示画面のロックを自ら行うことも可能である。この場合には、管理サーバ６０やネットワーク９０を介在させずに、スタンドアロンとして動作可能になるという利点がある。この場合には、体調管理用携帯端末装置２０の位置を携帯電話装置１０に対して送信すればよい。
【０２６６】
同様にして、ワンタイムパスワード生成と認証についても、管理サーバ６０ではなく、情報端末装置側で行うことが可能である。この場合も、管理サーバ６０やネットワーク９０を介在させずに、表示画面のロック解除が可能になる。
【０２６７】
また、体調管理用携帯端末装置２０が生体データ値に基づいて利用者本人と確認できた場合に第二位置を通知するものとして説明を行ってきたが、利用者本人の確認が出来ない旨の情報と第二位置とを通知するようにして、情報端末装置側の表示画面において「正当な利用者と確認できません」というような表示と共に表示画面のロックを行うようにしてもよい。
【０２６８】
また、体調管理用携帯端末装置２０について、利用者本人が長期間放置した後に使用を再開する場合など、通常状態の生体データ値が記憶値と実際とで違いが生じている場合もあり得る。そのような場合には、所定の手続を経た上で、再登録手続をして、記憶されている生体データ値を変更することも可能である。また、体調管理用携帯端末装置２０を他人に譲渡した場合も同様に、所定の手続を経た上で、再登録手続をして、記憶されている生体データ値を変更することが可能である。但し、不正な第三者への変更を避けるため、正当な利用者であることを何らかの手法により確認した上で再登録がなされることが望ましい。
【０２６９】
〔５〕その他：
なお、本発明は上述した実施形態に限定されるものではなく、本発明の趣旨を逸脱しない範囲で種々変形して実施することができる。
【０２７０】
例えば、上述した実施形態では、情報端末装置が携帯電話装置１０である場合について説明したが、本発明は、これに限定されるものではなく、携帯端末装置は、例えばＰＤＡ，コンピュータなどであってもよいし、第二位置検出手段としてのＧＰＳ位置検出部２０ＧＳおよび送受信手段（第二通知手段）２５５としての機能を有する装置は、利用者の身体の一部に常時装着され所持・携帯されうる装置、例えば腕時計などにそなえられていてもよい。いずれの場合も、上述した実施形態と同様の作用効果を得ることができる。
【０２７１】
ところで、上述した体調管理用携帯端末装置２０における閾値設定手段２５１，閾値読出手段２５２，比較手段２５３，警告手段２５４，送受信手段２５５，制御手段２５６および問合せ手段２５７としての機能（各手段の全部もしくは一部の機能）は、コンピュータ（ＣＰＵ，情報処理装置，各種端末を含む）が所定のアプリケーションプログラムを実行することによって実現される。また、上述した管理サーバ６０における制御手段６１，管理手段６２，認証手段６３，警告手段６４，統計値算出手段６５および統計値判断手段６６としての機能（各手段の全部もしくは一部の機能）も、コンピュータ（ＣＰＵ，情報処理装置，各種端末を含む）が所定のアプリケーションプログラムを実行することによって実現される。
【０２７２】
これらのアプリケーションプログラムは、例えばフレキシブルディスク，ＣＤ（ＣＤ−ＲＯＭ，ＣＤ−Ｒ，ＣＤ−ＲＷなど），ＤＶＤ（ＤＶＤ−ＲＯＭ，ＤＶＤ−ＲＡＭ，ＤＶＤ−Ｒ，ＤＶＤ−ＲＷ，ＤＶＤ＋Ｒ，ＤＶＤ＋ＲＷなど）等のコンピュータ読取可能な記録媒体に記録された形態で提供される。この場合、コンピュータはその記録媒体から上記
アプリケーションプログラムを読み取って内部記憶装置または外部記憶装置に転送し格納して用いる。また、そのプログラムを、例えば磁気ディスク，光ディスク，光磁気ディスク等の記憶装置（記録媒体）に記録しておき、その記憶装置から通信回線を介してコンピュータに提供するようにしてもよい。
【０２７３】
ここで、コンピュータとは、ハードウエアとＯＳ（オペレーティングシステム）とを含む概念であり、ＯＳの制御の下で動作するハードウエアを意味している。また、ＯＳが不要でアプリケーションプログラム単独でハードウェアを動作させるような場合には、そのハードウェア自体がコンピュータに相当する。ハードウエアは、少なくとも、ＣＰＵ等のマイクロプロセッサと、記録媒体に記録されたコンピュータプログラムを読み取るための手段とをそなえている。上記アプリケーションプログラムは、上述のようなコンピュータに、上記の各種手段２５１〜２５７，６１〜６６，７１〜７４としての機能を実現させるプログラムコードを含んでいる。また、その機能の一部は、アプリケーションプログラムではなくＯＳによって実現されてもよい。
【０２７４】
さらに、本実施形態における記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等の、コンピュータ読取可能な種々の媒体を利用することもできる。
【０２７５】
以下に記載する付記も、本発明の実施形態の一態様である。
〔付記１〕
利用者により利用される情報端末装置の動作状態を管理する管理サーバと、前記利用者によって利用され、第一位置を検出する第一位置検出手段、該第一位置検出手段によって検出された前記第一位置を前記管理サーバに通知する第一通知手段、各種画面表示を行う表示手段、前記表示手段の表示状態を制御する制御手段、および、前記管理サーバにアクセスするアクセス手段を有する情報端末装置と、前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記管理サーバに通知する第二通知手段、を有する生体データ検出端末装置とをそなえ、
前記管理サーバは、前記情報端末装置の前記第一通知手段によって通知された前記第一位置と前記生体データ検出端末装置の前記第二通知手段によって通知された前記第二位置との間の距離が所定範囲を超えた場合、あるいは、前記第一位置もしくは前記第二位置のいずれか一方が確認できない場合、前記情報端末装置の表示画面をロックする命令を前記情報端末装置に与える、ことを特徴とする情報端末装置管理。
【０２７６】
〔付記２〕
前記情報端末装置と前記生体データ検出端末装置とは、現在位置を前記管理手段に通知する手段を備え、
前記管理手段は、
前記検出動作の中断前に前記生体センサによって検出された前記生体データ値の統計値を中断前統計値として算出するとともに前記検出動作の再開後に前記生体センサによって検出された前記生体データ値の統計値を再開後統計値として算出する統計値算出手段と、
該統計値算出手段によって算出された前記の中断前統計値と再開後統計値とを比較し、これらの統計値が同一利用者の生体データ値の統計値であるか否かを判断する統計値判断手段とをさらにそなえ、
前記情報端末装置と前記生体データ検出端末装置との間の距離が前記所定範囲内である場合であって、且つ、前記統計値判断手段によって前記の中断前統計値および再開後統計
値が同一利用者の生体データ値の統計値であると判断された場合、情報端末装置の表示画面のロックを解除する、
ことを特徴とする請求項２〜請求項７のいずれか一項に記載の情報端末装置管理システム。
【０２７７】
〔付記３〕
前記管理手段が、
前記検出動作の再開後に該統計値算出手段によって前記再開後統計値が算出され前記統計値判断手段による判断結果が得られるまで、情報端末装置の表示画面をロックする、
ことを特徴とする請求項８記載の情報端末装置管理システム。
【０２７８】
〔付記４〕
前記管理手段が、
前記統計値判断手段によって前記の中断前統計値および再開後統計値が同一利用者の生体データ値の統計値ではないと判断された場合、前記サービス提供手段による前記情報端末装置の表示画面のロックを継続する、
ことを特徴とする請求項９記載の情報端末装置管理システム。
【０２７９】
〔付記５〕
利用者によって利用され、第一位置を検出する第一位置検出手段、各種画面表示を行う表示手段、前記表示手段の表示状態を制御する制御手段を有する情報端末装置と、
前記利用者によって利用され、第二位置を検出する第二位置検出手段、前記利用者の生体データ値を検出する生体センサ、前記生体センサにより検出された利用者の生体データ値により該利用者本人であることを確認し、該第二位置検出手段によって検出された前記第二位置を前記情報端末装置に通知する第二通知手段、を有する生体データ検出端末装置とをそなえ、
前記情報端末装置は、前記第一位置と前記第二位置との間の距離が所定範囲を超えた場合、あるいは、第二位置が確認できない場合、前記制御手段により前記表示手段の表示画面をロックする、
ことを特徴とする情報端末装置管理システム。
【０２８０】
〔付記６〕
前記制御手段は、前記ロック後に前記距離が所定範囲内になった場合、前記情報端末装置の表示画面のロックを解除する、
ことを特徴とする付記５記載の情報端末装置管理システム。
【０２８１】
〔付記７〕
前記制御手段は、
一回限り使用可能なワンタイムパスワードを生成するワンタイムパスワード生成手段と、前記ワンタイムパスワード生成手段により生成されたワンタイムパスワードと前記利用者から返信されたワンタイムパスワードとを比較することにより認証判定を行なう認証手段と、をさらに備え、
前記生体データ検出端末装置は、前記生体センサにより検出された利用者の生体データ値により該利用者本人であることを確認して前記ワンタイムパスワード生成手段と同期して前記ワンタイムパスワードを表示するワンタイムパスワード処理手段をさらに備え、
前記制御手段は、前記情報端末装置の表示画面をパスワードにより解除可能な状態でロックし、前記生体データ検出端末装置の表示を参照した前記利用者によって前記情報端末装置の入力手段に入力されて返信されたワンタイムパスワードにより前記認証手段で認証がなされた場合、前記表示画面をロックを解除する、
ことを特徴とする付記６記載の情報端末装置管理システム。
【図面の簡単な説明】
【０２８２】
【図１】本発明の一実施形態としての情報端末装置管理システムの構成を示すブロック図である。
【図２】本実施形態の情報端末装置管理システムにおける体調管理用携帯端末装置の構成を示すブロック図である。
【図３】本実施形態の動作を説明するための説明図である。
【図４】本実施形態の動作を説明するためのフローチャートである。
【図５】本実施形態の動作を説明するためのフローチャートである。
【図６】本実施形態の動作を説明するためのフローチャートである。
【図７】本実施形態の動作を説明するためのフローチャートである。
【図８】本実施形態の動作を説明するためのフローチャートである。
【図９】本実施形態の動作を説明するためのフローチャートである。
【図１０】本実施形態の動作を説明するためのフローチャートである。
【図１１】本実施形態の動作を説明するためのフローチャートである。
【図１２】本実施形態の動作を説明するためのフローチャートである。
【図１３】本実施形態の動作を説明するためのフローチャートである。
【図１４】本実施形態の動作を説明するためのフローチャートである。
【図１５】本実施形態の動作を説明するためのフローチャートである。
【符号の説明】
【０２８３】
１    情報端末装置管理システム
１０    携帯電話装置（携帯端末装置）
１１    ＧＰＳ位置検出部（第一位置検出手段）
１２    送受信手段（第一通知手段）
１３    アクセス手段
１４    入力手段
１５    表示手段
２０    体調管理用携帯端末装置
２０ＢＳ    生体センサ
２０ＷＳ    気象センサ
２０ＧＳ    ＧＰＳ位置検出部（第二位置検出手段）
２０Ｔ    閾値テーブル
２０Ｍ    メモリ
２４    表示手段
２５    ＣＰＵ
２５１    閾値設定手段
２５２    閾値読出手段
２５３    比較手段
２５４    警告手段（体調異状警告手段）
２５５    送受信手段（第二通知手段，体調異状通知手段）
２５６    制御手段（動作状態検出手段）
２５７    問合せ手段
２５８    ワンタイムパスワード処理手段
２６    停止操作部
２７    回答入力部
３０    管理者端末
４０    連絡先端末
５０    主治医端末
６０    管理サーバ
６１    サービス提供手段
６２    管理手段
６３    認証手段
６４    警告手段
６５    統計値算出手段
６６    統計値判断手段
６７    ワンタイムパスワード生成手段
６８    ワンタイムパスワード送信手段
８０    体調管理サーバ
９０    ネットワーク
【図１】
2008182469.tif 000003
【図２】
2008182469.tif 000004
【図３】
2008182469.tif 000005
【図４】
2008182469.tif 000006
【図５】
2008182469.tif 000007
【図６】
2008182469.tif 000008
【図７】
2008182469.tif 000009
【図８】
2008182469.tif 000010
【図９】
2008182469.tif 000011
【図１０】
2008182469.tif 000012
【図１１】
2008182469.tif 000013
【図１２】
2008182469.tif 000014
【図１３】
2008182469.tif 000015
【図１４】
2008182469.tif 000016
【図１５】
2008182469.tif 000017
【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
一回限り使用可能なワンタイムパスワードを生成するワンタイムパスワード生成手段、前記ワンタイムパスワードにより認証判定を行なう認証手段とを有する管理サーバと、
第一位置を検出する第一位置検出手段、該第一位置検出手段によって検出された前記第一位置を前記管理サーバに通知する第一通知手段、各種画面表示を行う表示手段、および、前記表示手段の表示状態を制御する制御手段を有する情報端末装置と、
第二位置を検出する第二位置検出手段、利用者の生体データ値を検出する生体センサ、前記情報端末装置からの要求を受け、前記生体データ値により該利用者本人であることを確認した場合に前記ワンタイムパスワードと同期したワンタイムパスワードを表示するワンタイムパスワード処理手段、該第二位置検出手段によって検出された前記第二位置を前記管理サーバに通知する第二通知手段、を有する生体データ検出端末装置とをそなえ、
前記管理サーバは、前記第一位置と前記第二位置との間の距離が所定範囲を超えた場合、あるいは、前記第一位置もしくは前記第二位置のいずれか一方が確認できない場合、前記情報端末装置の表示画面を前記ワンタイムパスワードにより解除可能な状態でロックする命令を前記情報端末装置に与え、前記利用者によって前記情報端末装置の入力手段に入力されて返信されたワンタイムパスワードにより前記認証手段で認証がなされた場合、前記情報端末装置の表示画面のロックを解除する命令を前記情報端末装置に与える、
ことを特徴とする情報端末装置管理システム。
【請求項２】
前記管理サーバは、前記ワンタイムパスワード生成手段によって生成されたワンタイムパスワードを前記生体データ検出端末装置に送信する送信手段をさらにそなえて構成され、
前記生体データ検出端末装置では、ワンタイムパスワード処理手段が、前記管理サーバから送信された前記ワンタイムパスワードを受信し、前記生体センサにより検出された利用者の生体データ値により該利用者本人であることを確認して前記ワンタイムパスワードを表示する、
ことを特徴とする請求項１記載の情報端末装置管理システム。
【請求項３】
前記生体データ検出端末装置では、前記管理サーバの前記ワンタイムパスワード生成手段と同期したワンタイムパスワードを前記ワンタイムパスワード処理手段で生成し、前記生体センサにより検出された利用者の生体データ値により該利用者本人であることを確認して前記ワンタイムパスワードを表示する、
ことを特徴とする請求項１記載の情報端末装置管理システム。
【請求項４】
前記管理サーバは、該管理サーバへの利用者からの前記ワンタイムパスワードの返信が所定時間以上経過している場合、システム管理者もしくは前記利用者に対し警告通知を行なう警告手段をさらにそなえる、
請求項１〜請求項３のいずれか１項に記載の情報端末装置管理システム。
【請求項５】
前記管理サーバは、前記距離が所定時間以上に亘って前記所定範囲外である場合、システム管理者もしくは前記利用者に対し警告通知を行なう警告手段をさらにそなえたことを特徴とする、
請求項１〜請求項４のいずれか１項に記載の情報端末装置管理システム。
【請求項６】
前記情報端末装置が携帯電話装置、あるいは、ノート型情報端末装置である、
ことを特徴とする請求項１〜請求項５のいずれか一項に記載の情報端末装置管理システム。
【請求項７】
前記生体データ検出端末装置が、腕時計にそなえられている、
ことを特徴とする請求項１〜請求項６のいずれか一項に記載の情報端末装置管理システム。
【請求項８】
一回限り使用可能なワンタイムパスワードを生成するワンタイムパスワード生成手段、前記ワンタイムパスワードにより認証判定を行なう認証手段とを有する管理サーバ、
第一位置を検出する第一位置検出手段、該第一位置検出手段によって検出された前記第一位置を前記管理サーバに通知する第一通知手段、各種画面表示を行う表示手段、および、前記表示手段の表示状態を制御する制御手段を有する情報端末装置、
第二位置を検出する第二位置検出手段、利用者の生体データ値を検出する生体センサ、前記情報端末装置からの要求を受け、前記生体データ値により該利用者本人であることを確認した場合に前記ワンタイムパスワードと同期したワンタイムパスワードを表示するワンタイムパスワード処理手段、該第二位置検出手段によって検出された前記第二位置を前記管理サーバに通知する第二通知手段、を有する生体データ検出端末装置、としてコンピュータを機能させるプログラムであって、
前記情報端末装置の前記第一通知手段によって通知された前記第一位置と前記第二位置との間の距離が所定範囲を超えた場合、あるいは、前記第一位置もしくは前記第二位置のいずれか一方が確認できない場合、前記情報端末装置の表示画面をワンタイムパスワードにより解除可能な状態でロックする命令を前記情報端末装置に与え、前記利用者によって前記情報端末装置の入力手段に入力されて返信されたワンタイムパスワードにより前記認証手段で認証がなされた場合、前記情報端末装置の表示画面のロックを解除する命令を前記管理サーバから前記情報端末装置に与える、
ようにコンピュータを機能させることを特徴とする情報端末装置管理プログラム。
【請求項９】
前記管理サーバは、前記ワンタイムパスワード生成手段によって生成されたワンタイムパスワードを前記生体データ検出端末装置に送信する送信手段をさらにそなえて構成されるようにコンピュータを機能させ、前記生体データ検出端末装置では、ワンタイムパスワード処理手段が、前記管理サーバから送信された前記ワンタイムパスワードを受信し、前記生体センサにより検出された利用者の生体データ値により該利用者本人であることを確認して前記ワンタイムパスワードを表示するようにコンピュータを機能させる、
ことを特徴とする請求項８記載の情報端末装置管理プログラム。
【請求項１０】
前記生体データ検出端末装置では、前記管理サーバの前記ワンタイムパスワード生成手段と同期したワンタイムパスワードを前記ワンタイムパスワード処理手段で生成し、前記生体センサにより検出された利用者の生体データ値により該利用者本人であることを確認して前記ワンタイムパスワードを表示するようにコンピュータを機能させることを特徴とする請求項８記載の情報端末装置管理プログラム。
【請求項１１】
前記管理サーバは、該管理サーバへの利用者からの前記ワンタイムパスワードの返信が所定時間以上経過している場合、システム管理者もしくは前記利用者に対し警告通知を行なう警告手段をさらにそなえるようにコンピュータを機能させることを特徴とする請求項８〜請求項１０のいずれか１項に記載の情報端末装置管理プログラム。
【請求項１２】
前記管理サーバは、前記距離が所定時間以上に亘って前記所定範囲外である場合、システム管理者もしくは前記利用者に対し警告通知を行なう警告手段をさらにそなるようにコンピュータを機能させることを特徴とする請求項８〜請求項１１のいずれか１項に記載の情報端末装置管理プログラム。
【請求項１３】
前記情報端末装置は、携帯電話装置あるいはノート型情報端末装置に備えられたものとしてコンピュータを機能させ、前記生体データ検出端末装置は、腕時計に備えられたものとしてコンピュータを機能させる、ことを特徴とする請求項８〜請求項１２のいずれか一項に記載の情報端末装置管理プログラム。
【手続補正２】
【補正対象書類名】明細書
【補正対象項目名】００１０
【補正方法】変更
【補正の内容】
【００１０】
上記の課題を解決する本発明は、以下のようなものである。
【手続補正３】
【補正対象書類名】明細書
【補正対象項目名】００１１
【補正方法】変更
【補正の内容】
【００１１】
（１）請求項１記載の発明は、一回限り使用可能なワンタイムパスワードを生成するワンタイムパスワード生成手段、前記ワンタイムパスワードにより認証判定を行なう認証手段とを有する管理サーバと、第一位置を検出する第一位置検出手段、該第一位置検出手段によって検出された前記第一位置を前記管理サーバに通知する第一通知手段、各種画面表示を行う表示手段、および、前記表示手段の表示状態を制御する制御手段を有する情報端末装置と、第二位置を検出する第二位置検出手段、利用者の生体データ値を検出する生体センサ、前記情報端末装置からの要求を受け、前記生体データ値により該利用者本人であることを確認した場合に前記ワンタイムパスワードと同期したワンタイムパスワードを表示するワンタイムパスワード処理手段、該第二位置検出手段によって検出された前記第二位置を前記管理サーバに通知する第二通知手段、を有する生体データ検出端末装置とをそなえ、前記管理サーバは、前記第一位置と前記第二位置との間の距離が所定範囲を超えた場合、あるいは、前記第一位置もしくは前記第二位置のいずれか一方が確認できない場合、前記情報端末装置の表示画面をワンタイムパスワードにより解除可能な状態でロックする命令を前記情報端末装置に与え、前記利用者によって前記情報端末装置の入力手段に入力されて返信されたワンタイムパスワードにより前記認証手段で認証がなされた場合、前記情報端末装置の表示画面のロックを解除する命令を前記情報端末装置に与える、ことを特徴とする情報端末装置管理システムである。
【手続補正４】
【補正対象書類名】明細書
【補正対象項目名】００１２
【補正方法】変更
【補正の内容】
【００１２】
なお、上記生体データ検出端末装置は、前記利用者の身体の一部に装着され、前記利用者によって携帯される、前記情報端末装置とは別体の装置であることが望ましい。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
（２）請求項２記載の発明は、前記管理サーバは、前記ワンタイムパスワード生成手段によって生成されたワンタイムパスワードを前記生体データ検出端末装置に送信する送信手段をさらにそなえて構成され、前記生体データ検出端末装置では、ワンタイムパスワード処理手段が、前記管理サーバから送信された前記ワンタイムパスワードを受信し、前記生体センサにより検出された利用者の生体データ値により該利用者本人であることを確認して前記ワンタイムパスワードを表示する、ことを特徴とする請求項１記載の情報端末装置管理システムである。
【手続補正７】
【補正対象書類名】明細書
【補正対象項目名】００１５
【補正方法】変更
【補正の内容】
【００１５】
（３）請求項３記載の発明は、前記生体データ検出端末装置では、前記管理サーバの前記ワンタイムパスワード生成手段と同期したワンタイムパスワードを前記ワンタイムパスワード処理手段で生成し、前記生体センサにより検出された利用者の生体データ値により該利用者本人であることを確認して前記ワンタイムパスワードを表示する、ことを特徴とする請求項１記載の情報端末装置管理システムである。
【手続補正８】
【補正対象書類名】明細書
【補正対象項目名】００１６
【補正方法】変更
【補正の内容】
【００１６】
（４）請求項４記載の発明は、前記管理サーバは、該管理サーバへの利用者からの前記ワンタイムパスワードの返信が所定時間以上経過している場合、システム管理者もしくは前記利用者に対し警告通知を行なう警告手段をさらにそなえる、請求項１〜請求項３のいずれか１項に記載の情報端末装置管理システムである。
【手続補正９】
【補正対象書類名】明細書
【補正対象項目名】００１７
【補正方法】変更
【補正の内容】
【００１７】
（５）請求項５記載の発明は、前記管理サーバは、前記距離が所定時間以上に亘って前記所定範囲外である場合、システム管理者もしくは前記利用者に対し警告通知を行なう警告手段をさらにそなえたことを特徴とする、請求項１〜請求項４のいずれか１項に記載の情報端末装置管理システムである。
【手続補正１０】
【補正対象書類名】明細書
【補正対象項目名】００１８
【補正方法】変更
【補正の内容】
【００１８】
（６）請求項６記載の発明は、前記情報端末装置が携帯電話装置、あるいは、ノート型情報端末装置である、ことを特徴とする請求項１〜請求項５のいずれか一項に記載の情報端末装置管理システムである。
【手続補正１１】
【補正対象書類名】明細書
【補正対象項目名】００１９
【補正方法】変更
【補正の内容】
【００１９】
（７）請求項７記載の発明は、前記生体データ検出端末装置が、腕時計にそなえられている、ことを特徴とする請求項１〜請求項６のいずれか一項に記載の情報端末装置管理システムである。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
（８）請求項８記載の発明は、一回限り使用可能なワンタイムパスワードを生成するワンタイムパスワード生成手段、前記ワンタイムパスワードにより認証判定を行なう認証手段とを有する管理サーバ、第一位置を検出する第一位置検出手段、該第一位置検出手段によって検出された前記第一位置を前記管理サーバに通知する第一通知手段、各種画面表示を行う表示手段、および、前記表示手段の表示状態を制御する制御手段を有する情報端末装置、第二位置を検出する第二位置検出手段、利用者の生体データ値を検出する生体センサ、前記情報端末装置からの要求を受け、前記生体データ値により該利用者本人であることを確認した場合に前記ワンタイムパスワードと同期したワンタイムパスワードを表示するワンタイムパスワード処理手段、該第二位置検出手段によって検出された前記第二位置を前記管理サーバに通知する第二通知手段、を有する生体データ検出端末装置、としてコンピュータを機能させるプログラムであって、前記第一位置と前記第二位置との間の距離が所定範囲を超えた場合、あるいは、前記第一位置もしくは前記第二位置のいずれか一方が確認できない場合、前記情報端末装置の表示画面をワンタイムパスワードにより解除可能な状態でロックする命令を前記情報端末装置に与え、前記利用者によって前記情報端末装置の入力手段に入力されて返信されたワンタイムパスワードにより前記認証手段で認証がなされた場合、前記情報端末装置の表示画面のロックを解除する命令を前記管理サーバから前記情報端末装置に与える、ことを特徴とする情報端末装置管理プログラムである。
（９）請求項９記載の発明は、前記管理サーバは、前記ワンタイムパスワード生成手段によって生成されたワンタイムパスワードを前記生体データ検出端末装置に送信する送信手段をさらにそなえて構成され、前記生体データ検出端末装置では、ワンタイムパスワード処理手段が、前記管理サーバから送信された前記ワンタイムパスワードを受信し、前記生体センサにより検出された利用者の生体データ値により該利用者本人であることを確認して前記ワンタイムパスワードを表示する、ことを特徴とする請求項８記載の情報端末装置管理プログラムである。
（１０）請求項１０記載の発明は、前記生体データ検出端末装置では、前記管理サーバの前記ワンタイムパスワード生成手段と同期したワンタイムパスワードを前記ワンタイムパスワード処理手段で生成し、前記生体センサにより検出された利用者の生体データ値により該利用者本人であることを確認して前記ワンタイムパスワードを表示する、ことを特徴とする請求項８記載の情報端末装置管理プログラムである。
（１１）請求項１１記載の発明は、前記管理サーバは、該管理サーバへの利用者からの前記ワンタイムパスワードの返信が所定時間以上経過している場合、システム管理者もしくは前記利用者に対し警告通知を行なう警告手段をさらにそなえる、請求項８〜請求項１０のいずれか１項に記載の情報端末装置管理プログラムである。
（１２）請求項１２記載の発明は、前記管理サーバは、前記距離が所定時間以上に亘って前記所定範囲外である場合、システム管理者もしくは前記利用者に対し警告通知を行なう警告手段をさらにそなえたことを特徴とする、請求項８〜請求項１１のいずれか１項に記載の情報端末装置管理プログラムである。
（１３）請求項１３記載の発明は、前記情報端末装置が携帯電話装置あるいはノート型情報端末装置であり、前記生体データ検出端末装置が腕時計にそなえられている、ことを特徴とする請求項８〜請求項１２のいずれか一項に記載の情報端末装置管理プログラムである。
【手続補正１５】
【補正対象書類名】明細書
【補正対象項目名】００３０
【補正方法】変更
【補正の内容】
【００３０】
以上のような本発明によれば、以下のような効果を得ることができる。
以下に述べる情報端末装置管理システムでは、情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、情報端末装置の制御手段、情報端末装置の表示画面をロックする制御を行う。なお、生体データ検出端末装置は、利用者の身体の一部に装着され、利用者によって携帯される、情報端末装置とは別体の装置（体調管理用携帯端末装置）であることが望ましい。
【手続補正１６】
【補正対象書類名】明細書
【補正対象項目名】００３９
【補正方法】変更
【補正の内容】
【００３９】
（１）請求項１記載の情報端末装置管理システムでは、情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、管理サーバは、情報端末装置の表示画面をロックする命令を情報端末装置に与える。
【手続補正１７】
【補正対象書類名】明細書
【補正対象項目名】００４９
【補正方法】変更
【補正の内容】
【００４９】
なお、この情報端末装置管理システムでは、情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、管理サーバは、情報端末装置の表示画面をロックする命令を情報端末装置に与える。さらに、ロック後に第一位置と第二位置との距離が所定範囲内になった場合、情報端末装置の表示画面のロックを解除する命令を情報端末装置に与える。
【手続補正１８】
【補正対象書類名】明細書
【補正対象項目名】００６１
【補正方法】変更
【補正の内容】
【００６１】
また、この発明では、生体データ検出端末装置では、生体センサにより検出された利用者の生体データ値により該利用者本人であることが確認された場合に、管理サーバと同期したワンタイムパスワードが表示されるため、第三者がワンタイムパスワードを利用することはできず、本人にのみが情報端末装置を使用することができる。
【手続補正１９】
【補正対象書類名】明細書
【補正対象項目名】００６２
【補正方法】変更
【補正の内容】
【００６２】
（２）請求項２と請求項９記載の発明では、生体データ検出端末装置では、ワンタイムパスワード処理手段が、管理サーバから送信されたワンタイムパスワードを受信し、生体センサにより検出された利用者の生体データ値により該利用者本人であることを確認してワンタイムパスワードを表示するため、ワンタイムパスワード生成のための専用のハードウェアやソフトウェアが不要になる。
【手続補正２０】
【補正対象書類名】明細書
【補正対象項目名】００６３
【補正方法】変更
【補正の内容】
【００６３】
（３）請求項３と請求項１０記載の発明では、ワンタイムパスワード生成機能によって生成されたワンタイムパスワードと同期した状態のワンタイムパスワードを生体データ検出端末装置側で生成することで、ワンタイムパスワードの送受信のための専用のハードウェアを生体データ検出端末装置に設けることなく、ワンタイムパスワードを用いて確実なセキュリティの確保が可能になる。
【手続補正２１】
【補正対象書類名】明細書
【補正対象項目名】００６４
【補正方法】変更
【補正の内容】
【００６４】
（４）請求項４と請求項１１記載の発明では、ワンタイムパスワードの返信に一定以上の時間がかかる場合、システム管理者や利用者に対し警告通知を行なうことにより、情報端末装置の置き忘れや盗難を確実に防止したり、情報端末装置の置き忘れや盗難に対する対処を直ちに実行したりすることが可能になる。
【手続補正２２】
【補正対象書類名】明細書
【補正対象項目名】００６５
【補正方法】変更
【補正の内容】
【００６５】
（５）請求項５と請求項１２記載の発明では、第一位置と第二位置との間の距離が所定時間以上に亘って所定範囲外である場合、システム管理者や利用者に対し警告通知を行なうことにより、情報端末装置の置き忘れや盗難を確実に防止したり、情報端末装置の置き忘れや盗難に対する対処を直ちに実行したりすることが可能になる。
【手続補正２３】
【補正対象書類名】明細書
【補正対象項目名】００６６
【補正方法】変更
【補正の内容】
【００６６】
（６）請求項６と請求項１３記載の発明では、情報端末装置を携帯電話装置あるいはノート型情報端末装置で構成することで、所持が容易になり、紛失したり盗難されたりしても、正当な利用者本人が身につけた状態の生体データ検出端末装置が存在しなければ、情報端末装置の表示画像メモリがロックされた状態になるため、悪意のある第三者による不正利用をより確実に防止することができ、十分なセキュリティが確保され、利用者の被る損害を最小限に抑えることができる。
【手続補正２４】
【補正対象書類名】明細書
【補正対象項目名】００６７
【補正方法】変更
【補正の内容】
【００６７】
（７）請求項７と請求項１３記載の発明では、生体データ検出端末装置が、腕時計にそなえられていることで、所持が容易になり、急な電話、トイレ休憩、急な呼び出し、などの場合にも、特別な操作をすることなく情報端末装置がロックされ、かつ、戻った場合にロックが解除されることを、容易かつ確実に実現することができる。このため、悪意のある第三者による不正利用をより確実に防止することができ、十分なセキュリティが確保され、利用者の被る損害を最小限に抑えることができる。
【手続補正２５】
【補正対象書類名】明細書
【補正対象項目名】００６８
【補正方法】変更
【補正の内容】
【００６８】
なお、この管理サーバでは、情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、管理サーバは、情報端末装置の表示画面をロックする命令を情報端末装置に与える。
【手続補正２６】
【補正対象書類名】明細書
【補正対象項目名】００７７
【補正方法】変更
【補正の内容】
【００７７】
なお、この情報端末装置管理プログラムでは、情報端末装置側の第一位置と、生体データ検出端末装置の通知手段によって通知された第二位置との間の距離が所定範囲を超えた場合、あるいは、前記第一位置もしくは前記第二位置のいずれか一方が確認できない場合、情報端末装置の制御手段は、情報端末装置の表示画面をロックする命令を発生する。
【手続補正２７】
【補正対象書類名】明細書
【補正対象項目名】００８１
【補正方法】変更
【補正の内容】
【００８１】
（８）請求項８記載の情報端末装置管理プログラムでは、情報端末装置の第一通知手段によって通知された第一位置と、生体データ検出端末装置の第二通知手段によって通知された第二位置との間の距離が所定範囲を超えた場合、あるいは、前記第一位置もしくは前記第二位置のいずれか一方が確認できない場合、管理サーバは、情報端末装置の表示画面をロックする命令を情報端末装置に与える。